(57)【要約】  本発明では、無線通信システムにおいて端末の無線リンクモニタリングを行う方法及びそれをサポートする装置を開示する。  より具体的には、本発明では、基地局が少なくとも１つのビームの送信をサポートできる場合、端末が無線リンクモニタリングを行う方法及びそれをサポートする装置に関する説明を開示する。【選択図】図１４
2019537385.tif 000002
【特許請求の範囲】
【請求項１】
無線通信システムにおいて端末が無線リンクモニタリング（Radio Link Monitoring；ＲＬＭ）を行う方法であって、
少なくとも１つのリソース（resource）により対応する同期信号／物理ブロードキャストチャネル（Synchronization Signal/Physical Broadcast CHannel；ＳＳ／ＰＢＣＨ）ブロック及びチャネル状態情報参照信号（Channel State Information Reference Signal；ＣＳＩ−ＲＳ）のうちの少なくとも１つを受信し、
前記ＳＳ／ＰＢＣＨブロックは、プライマリ同期信号（Primary Synchronization Signal；ＰＳＳ）、セカンダリ同期信号（Secondary Synchronization Signal；ＳＳＳ）及び物理ブロードキャストチャネル（Physical Broadcast CHannel；ＰＢＣＨ）を有し、
前記受信したＳＳ／ＰＢＣＨブロック及びＣＳＩ−ＲＳのうちの少なくとも１つを用いて無線リンク品質（radio link quality）を測定し（assess）、
前記測定された無線リンク品質に基づく無線リンク状態情報を上位層（higher layer）に送信することを有する、端末の無線リンクモニタリングを行う方法。
【請求項２】
前記リソースは、ビーム（beam）に対応する、請求項１に記載の端末の無線リンクモニタリングを行う方法。
【請求項３】
前記少なくとも１つのリソースに対応するＣＳＩ−ＲＳは、
前記少なくとも１つのリソースに対応するビーム管理（Beam Management；ＢＭ）のためのＣＳＩ−ＲＳと同一の特性を有する、請求項１に記載の端末の無線リンクモニタリングを行う方法。
【請求項４】
前記少なくとも１つのリソースに対応するＣＳＩ−ＲＳを用いて無線リンク品質を測定する場合、前記端末は、前記少なくとも１つのリソースに対応するビーム管理のためのＣＳＩ−ＲＳの特性情報を用いて無線リンク品質を測定する、請求項３に記載の端末の無線リンクモニタリングを行う方法。
【請求項５】
前記無線リンク品質の測定のためのメトリック（metric）として、
仮想物理下りリンク制御チャネル（hypothetical PDCCH）に対するブロックエラーレート（Block Error Rate；ＢＬＥＲ）が適用される、請求項１に記載の端末の無線リンクモニタリングを行う方法。
【請求項６】
前記少なくとも１つのリソースの全てに対する無線リンク品質が閾値より低い場合、前記端末は、前記無線リンク状態情報を‘Ｏｕｔ−ｏｆ−ｓｙｎｃ’として前記上位層に送信する、請求項５に記載の端末の無線リンクモニタリングを行う方法。
【請求項７】
前記受信したＳＳ／ＰＢＣＨブロックとＣＳＩ−ＲＳとの送信電力が異なる場合、前記受信したＳＳ／ＰＢＣＨブロックとＣＳＩ−ＲＳとの間の送信電力の差を考慮して前記無線リンク品質の測定が行われる、請求項１に記載の端末の無線リンクモニタリングを行う方法。
【請求項８】
さらに、各リソースごとのＳＳ／ＰＢＣＨブロックとＣＳＩ−ＲＳとの連結関係に関する情報を受信することを有する、請求項１に記載の端末の無線リンクモニタリングを行う方法。
【請求項９】
無線通信システムにおいて無線リンクモニタリング（Radio Link Monitoring；ＲＬＭ）を行う端末であって、
受信部と、
前記受信部に接続されて動作するプロセッサと、を有し、
前記プロセッサは、
少なくとも１つのリソース（resource）により対応する同期信号／物理ブロードキャストチャネル（Synchronization Signal/Physical Broadcast CHannel；ＳＳ／ＰＢＣＨ）ブロック及びチャネル状態情報参照信号（Channel State Information Reference Signal；ＣＳＩ−ＲＳ）のうちの少なくとも１つを受信し、
前記ＳＳ／ＰＢＣＨブロックは、プライマリ同期信号（Primary Synchronization Signal；ＰＳＳ）、セカンダリ同期信号（Secondary Synchronization Signal；ＳＳＳ）及び物理ブロードキャストチャネル（Physical Broadcast CHannel；ＰＢＣＨ）を有し、
前記受信したＳＳ／ＰＢＣＨブロック及びＣＳＩ−ＲＳのうちの少なくとも１つを用いて無線リンク品質（radio link quality）を測定し（assess）、
前記測定された無線リンク品質に基づく無線リンク状態情報を上位層（higher layer）に送信するように構成される、端末。
【請求項１０】
前記リソースは、ビーム（beam）に対応する、請求項９に記載の端末。
【請求項１１】
前記少なくとも１つのリソースに対応するＣＳＩ−ＲＳは、
前記少なくとも１つのリソースに対応するビーム管理（Beam Management；ＢＭ）のためのＣＳＩ−ＲＳと同一の特性を有する、請求項９に記載の端末。
【請求項１２】
前記少なくとも１つのリソースに対応するＣＳＩ−ＲＳを用いて無線リンク品質を測定する場合、前記プロセッサは、前記少なくとも１つのリソースに対応するビーム管理のためのＣＳＩ−ＲＳの特性情報を用いて無線リンク品質を測定する、請求項１１に記載の端末。
【請求項１３】
前記無線リンク品質の測定のためのメトリック（metric）として、
仮想物理下りリンク制御チャネル（hypothetical PDCCH）に対するブロックエラーレート（Block Error Rate；ＢＬＥＲ）が適用される、請求項９に記載の端末。
【請求項１４】
前記少なくとも１つのリソースの全てに対する無線リンク品質が閾値より低い場合、前記プロセッサは、前記無線リンク状態情報をＯｕｔ−ｏｆ−ｓｙｎｃ’として前記上位層に送信する、請求項１３に記載の端末。
【請求項１５】
前記受信したＳＳ／ＰＢＣＨブロックとＣＳＩ−ＲＳとの送信電力が異なる場合、前記受信したＳＳ／ＰＢＣＨブロックとＣＳＩ−ＲＳとの間の送信電力の差を考慮して前記無線リンク品質の測定が行われる、請求項９に記載の端末。
【請求項１６】
前記プロセッサは、リソースごとのＳＳ／ＰＢＣＨブロックとＣＳＩ−ＲＳとの連結関係に関する情報を受信するように構成される、請求項９に記載の端末。
【発明の詳細な説明】
【技術分野】
【０００１】
以下の説明は、無線通信システムに関し、無線通信システムにおいて端末の無線リンクモニタリングを行う方法及びそれをサポート（支援）する（supporting）装置に関する。
【０００２】
特に、以下の説明は、少なくとも１つのビームをサポート可能な無線通信システムにおいて、端末の無線リンクモニタリングを行う方法及びそれをサポートする装置に関する説明を含む。
【背景技術】
【０００３】
無線アクセスシステム（無線接続システム）（wireless access systems）が音声やデータなどの種々の通信サービスを提供するために広範囲に展開されている。一般に、無線アクセスシステムは、使用可能な（可用の）（available）システムリソース（帯域幅、送信電力など）を共有して複数のユーザとの通信をサポートできる多元接続（多重接続）（multiple access）システムである。多元接続システムの例には、ＣＤＭＡ（Code Division Multiple Access）システム、ＦＤＭＡ（Frequency Division Multiple Access）システム、ＴＤＭＡ（Time Division Multiple Access）システム、ＯＦＤＭＡ（Orthogonal Frequency Division Multiple Access）システム、ＳＣ−ＦＤＭＡ（Single Carrier Frequency Division Multiple Access）システムなどがある。
【０００４】
なお、多数の通信機器がより大きな通信容量を要求することにより、既存のＲＡＴ（Radio Access Technology）に比べて向上したモバイルブロードバンド通信の必要性が高まっている。また、多数の機器やモノ（物事）（things）を接続（連結）し（connecting）て、いつでもどこでも多様なサービスを提供する大規模（massive）ＭＴＣ（Machine Type Communications）が次世代通信において考えられている。さらに信頼性及び遅延などにセンシティブ（敏感）な（sensitive）サービス／ＵＥを考慮した通信システム設計（デザイン）（system design）も考えられている。
【０００５】
このように向上したモバイルブロードバンド通信、大規模ＭＴＣ、ＵＲＬＬＣ（Ultra-Reliable and Low Latency Communication）などを考慮した次世代ＲＡＴの導入が論議されている。
【発明の概要】
【発明が解決しようとする課題】
【０００６】
本発明の目的は、新しく提案された通信システムにおいて端末の無線リンクモニタリングを行う方法及びそれをサポートする装置を提供することにある。
【０００７】
特に、本発明では、少なくとも１つのビームの送信をサポート可能な通信システムにおいて、端末が無線リンクモニタリングを行うための参照信号、該参照信号を活用する無線リンクモニタリングを行う方法を提供することを目的とする。
【０００８】
本発明で遂げようとする技術的目的は、以上で言及した事項に限定されず、言及していない別の技術的課題は、以下に説明する本発明の実施例から、本発明の属する技術の分野における通常の知識を有する者によって考慮され得る。
【課題を解決するための手段】
【０００９】
本発明は、無線通信システムにおいて端末の無線リンクモニタリングを行う方法及び装置を提供する。
【００１０】
本発明の一態様では、無線通信システムにおいて端末が無線リンクモニタリング（Radio Link Monitoring；ＲＬＭ）を行う方法であって、少なくとも１つのリソース（resource）により対応する同期信号／物理ブロードキャスト（放送）チャネル（Synchronization Signal Physical Broadcast CHannel；ＳＳ／ＰＢＣＨ）ブロック及びチャネル状態情報参照信号（Channel State Information Reference Signal；ＣＳＩ−ＲＳ）のうちの少なくとも１つを受信し、ＳＳ／ＰＢＣＨブロックは、プライマリ同期信号（Primary Synchronization Signal；ＰＳＳ）、セカンダリ同期信号（Secondary Synchronization Signal；ＳＳＳ）及び物理ブロードキャストチャネル（Physical Broadcast CHannel；ＰＢＣＨ）を有し、該受信したＳＳ／ＰＢＣＨブロック及びＣＳＩ−ＲＳのうちの少なくとも１つを用いて無線リンク品質（radio link quality）を測定し（assess）、該測定された無線リンク品質に基づく無線リンク状態情報を上位層（階層）（higher layer）に送信することを有する、端末の無線リンクモニタリングを行う方法を提案する。
【００１１】
本発明の他の態様では、無線通信システムにおいて無線リンクモニタリング（Radio Link Monitoring；ＲＬＭ）を行う端末であって、受信部と、該受信部に接続されて動作するプロセッサと、を有し、該プロセッサは、少なくとも１つのリソース（resource）により対応する同期信号／物理ブロードキャストチャネル（Synchronization Signal/Physical Broadcast CHannel；ＳＳ／ＰＢＣＨ）ブロック及びチャネル状態情報参照信号（Channel State Information Reference Signal；ＣＳＩ−ＲＳ）のうちの少なくとも１つを受信し、該ＳＳ／ＰＢＣＨブロックは、プライマリ同期信号（Primary Synchronization Signal；ＰＳＳ）、セカンダリ同期信号（Secondary Synchronization Signal；ＳＳＳ）及び物理ブロードキャストチャネル（Physical Broadcast CHannel；ＰＢＣＨ）を有し、該受信したＳＳ／ＰＢＣＨブロック及びＣＳＩ−ＲＳのうちの少なくとも１つを用いて無線リンク品質（radio link quality）を測定し（assess）、該測定された無線リンク品質に基づく無線リンク状態情報を上位層（higher layer）に送信するように構成される、端末を提案する。
【００１２】
少なくとも１つのリソースは、各々ビーム（beam）に対応する。
【００１３】
また、少なくとも１つのリソースに対応するＣＳＩ−ＲＳは、少なくとも１つのリソースに対応するビーム管理（Beam Management；ＢＭ）のためのＣＳＩ−ＲＳと同一の特性を有するように設定される。
【００１４】
このとき、少なくとも１つのリソースに対応するＣＳＩ−ＲＳを用いて無線リンク品質を測定する場合、端末は、少なくとも１つのリソースに対応するビーム管理のためのＣＳＩ−ＲＳの特性情報を用いて無線リンク品質を測定する。
【００１５】
また、無線リンク品質の測定のためのメトリック（メートル法）（metric）としては、仮想物理下りリンク制御チャネル（hypothetical PDCCH）に対するブロックエラーレート（率）（Block Error Rate；ＢＬＥＲ）が適用される。
【００１６】
このとき、少なくとも１つのリソースの全てに対する無線リンク品質が閾値（臨界値）（threshold）より低い場合、端末は、無線リンク状態情報を‘Out-of-sync’として上位層に送信する。
【００１７】
また、受信したＳＳ／ＰＢＣＨブロックとＣＳＩ−ＲＳとの送信電力が異なる場合、受信したＳＳ／ＰＢＣＨブロックとＣＳＩ−ＲＳとの間の送信電力の差を考慮して無線リンク品質の測定が行われる。
【００１８】
さらに、端末は、各リソースごとのＳＳ／ＰＢＣＨブロックとＣＳＩ−ＲＳとの連結（相関）関係（correlation）に関する情報を受信する。
【００１９】
上述した本発明の様態は、本発明の好適な実施例の一部に過ぎず、本願発明の技術的特徴が反映された様々な実施例が、当該技術の分野における通常的な知識を有する者にとって、以下に詳述する本発明の詳細な説明に基づいて導出され理解され得るだろう。
【発明の効果】
【００２０】
本発明の実施例によれば、次のような効果がある。
【００２１】
本発明によれば、基地局が少なくとも１つのビームをサポートできる場合、端末は、それを考慮して無線リンクモニタリングを行うことができる。
【００２２】
本発明の実施例から得られる効果は、以上で言及した効果に限定されず、言及していない別の効果は、以下の本発明の実施例に関する記載から、本発明の属する技術の分野における通常の知識を有する者に明確に導出され理解されるであろう。すなわち、本発明を実施することに伴う意図していない効果も、本発明の実施例から当該技術の分野における通常の知識を有する者によって導出され得る。
【図面の簡単な説明】
【００２３】
【図１】物理チャネル及びそれらを用いた信号送信方法を説明する図である。
【図２】無線フレームの構造の一例を示す図である。
【図３】下りリンクスロットに関するリソースグリッド（resource grid）を例示する図である。
【図４】上りリンクサブフレームの構造の一例を示す図である。
【図５】下りリンクサブフレームの構造の一例を示す図である。
【図６】無線リンク失敗（Radio Link Failure；ＲＬＦ）を検出する方法に関する流れ図である。
【図７】本発明に適用可能なセルフサブフレームの構造（Self-Contained subframe structure）を示す図である。
【図８】ＴＸＲＵとアンテナエレメント（要素）（antenna elements）との代表的な接続方式を示す図である。
【図９】ＴＸＲＵとアンテナエレメントとの代表的な接続方式を示す図である。
【図１０】本発明の一例によるＴＸＲＵ及び物理アンテナの観点におけるハイブリッドビームフォーミング（形成）（beamforming）の構造を簡単に示す図である。
【図１１】本発明の一例による下りリンク（ＤｏｗｎＬｉｎｋ、ＤＬ）の伝送（送信）（transmission）過程（処理、プロセス）（process）において、同期信号（Synchronization signal）及びシステム情報（System information）に対するビームスウィーピング（掃引）（Beam sweeping）動作を簡単に示す図である。
【図１２】基地局がＮ個のビームのうち、＃１〜＃４に該当するビームについてＢＭ−ＲＳを割り当て、＃２〜＃５についてＲＬＭ−ＲＳリソースを設定する構成を簡単に示す図である。
【図１３】ＲＬＭ−ＲＳリソース＃２が最良（最上）の（best）ＲＳＲＰで測定され、ＲＬＭ−ＲＳリソース＃２とリンクされたＲＬＭ−ＲＳリソースが｛＃１、＃３、＃９、＃１０｝である場合、ＵＥのＲＬＭ方法を説明する図である。
【図１４】本発明の一実施例による端末の無線リンクモニタリングを行う方法を示す流れ図である。
【図１５】提案する実施例を具現できる端末及び基地局の構成を示す図である。
【発明を実施するための形態】
【００２４】
添付する図面は、本発明に関する理解を助けるためのものであり、詳細な説明と共に本発明に関する実施例を提供する。ただし、本発明の技術的特徴が特定の図面に限定されるものではなく、各図面で開示する特徴が互いに組み合わせられて新しい実施例として構成されてもよい。各図面における参照番号（reference numerals）は、構造的構成要素（structural elements）を意味する。
【００２５】
以下の実施例は、本発明の構成要素及び特徴を所定の形態で組み合わせたものである。各構成要素又は特徴は、別の明示的言及がない限り、選択的なものとして考慮することができる。各構成要素又は特徴は、別の構成要素や特徴と組み合わせない形態で実施されてもよく、一部の構成要素及び／又は特徴を組み合わせて本発明の実施例を構成してもよい。本発明の実施例において説明される動作の順序は、変更されてもよい。ある実施例の一部の構成や特徴は、他の実施例に含まれてもよく、他の実施例の対応する構成又は特徴に置き換えられてもよい。
【００２６】
図面に関する説明において、本発明の要旨を曖昧にさせ得る手順又は段階などは記述を省略し、当業者のレベルで理解可能な程度の手順又は段階も記述を省略する。
【００２７】
明細書全体を通じて、ある部分がある構成要素を「含む（ｃｏｍｐｒｉｓｉｎｇ又はｉｎｃｌｕｄｉｎｇ）」とされているとき、これは、別に反対の記載がない限り、他の構成要素を除外するものではなく、他の構成要素をさらに含み得ることを意味する。また、明細書における“…部”、“…器”、“モジュール”などの用語は、少なくとも１つの機能や動作を処理する単位を意味し、これは、ハードウェア、ソフトウェア、又はハードウェアとソフトウェアとの組み合せによって具現することができる。また、「ある（a又はａｎ）」、「１つ（one）」、「その（the）」及び類似（同様）の関連語は、本発明を記述する文脈において（特に、添付の請求項の文脈において）本明細書に別に指示されたり文脈によって明らかに反駁されない限り、単数及び複数の両方を含む意味で使うことができる。
【００２８】
この明細書において、本発明の実施例は、基地局と移動局との間のデータ送受信関係を中心に説明されている。ここで、基地局は、移動局と通信を直接行うネットワークの終端ノード（terminal node）としての意味を有する。本文書において基地局によって行われるとされている特定の動作は、場合によっては、基地局の上位ノード（upper node）によって行われてもよい。
【００２９】
即ち、基地局を含む複数のネットワークノード（network node）からなるネットワークにおいて、移動局との通信のために行われる様々な動作は、基地局、又は基地局以外の他のネットワークノードで行うことができる。このとき、「基地局」は、固定局（fixed station）、Ｎｏｄｅ  Ｂ、ｅＮｏｄｅ  Ｂ（ｅＮＢ）、ｇＮｏｄｅ  Ｂ（ｇＮＢ）、発展した基地局（ＡＢＳ：Advanced Base Station）又はアクセスポイント（access point）などの用語に言い換えることができる。
【００３０】
また、本発明の実施例において、端末（Terminal）は、ユーザ機器（ＵＥ：User Equipment）、移動局（ＭＳ：Mobile Station）、加入者端末（ＳＳ：Subscriber Station）、移動加入者端末（ＭＳＳ：Mobile Subscriber Station）、移動端末（Mobile Terminal）、又は発展した移動端末（ＡＭＳ：Advanced Mobile Station）などの用語に言い換えることができる。
【００３１】
また、送信端は、データサービス又は音声サービスを提供する固定及び／又は移動ノードを意味し、受信端は、データサービス又は音声サービスを受信する固定及び／又は移動ノードを意味する。したがって、上りリンクでは、移動局を送信端にし、基地局を受信端にすることができる。同様に、下りリンクでは、移動局を受信端にし、基地局を送信端にすることができる。
【００３２】
本発明の実施例は、無線アクセスシステムであるＩＥＥＥ  ８０２．ｘｘシステム、３ＧＰＰ（3rd Generation Partnership Project）システム、３ＧＰＰ  ＬＴＥシステム及び３ＧＰＰ  ５Ｇ  ＮＲシステム及び３ＧＰＰ２システムのうち少なくとも１つに開示されている標準文書によってサポートすることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１、３ＧＰＰ  ＴＳ  ３６．３３１、３ＧＰＰ  ＴＳ  ３８．２１１、３ＧＰＰ  ＴＳ  ３８．２１２、３ＧＰＰ  ＴＳ  ３８．２１３、３ＧＰＰ  ＴＳ  ３８．３２１及び３ＧＰＰ  ＴＳ  ３８．３３１の文書によってサポートすることができる。即ち、本発明の実施例のうち、説明していない自明な段階又は部分は、上記文書を参照して説明することができる。また、本文書に開示している用語は、いずれも、上記標準文書によって説明することができる。
【００３３】
以下、本発明に係る好適な実施形態を添付の図面を参照して詳しく説明する。添付の図面と共に以下に開示する詳細な説明は、本発明の例示的な実施形態を説明するためのもので、本発明が実施され得る唯一の実施形態を表すことを意図するものではない。
【００３４】
また、本発明の実施例で使われる特定の用語は、本発明の理解し易さのために提供されるものであり、このような特定の用語の使用は、本発明の技術的思想を逸脱しない範囲で他の形態に変更されてもよい。
【００３５】
例えば、送信機会区間（ＴｘＯＰ：Transmission Opportunity Period）という用語は、送信区間、送信バースト（Tx burst）又はＲＲＰ（Reserved Resource Period）という用語と同じ意味で使うことができる。また、ＬＢＴ（Listen Before Talk）過程は、チャネル状態がアイドル（遊休）（idle）であるか否かを判断するためのキャリアセンシング過程、ＣＣＡ（Clear Channel Assessment）、チャネル接続過程（ＣＡＰ：Channel Access Procedure）と同じ目的で行うことができる。
【００３６】
以下、本発明の実施例を利用可能な無線アクセスシステムの一例として３ＧＰＰ  ＬＴＥ／ＬＴＥ−Ａシステムについて説明する。
【００３７】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）などの様々な無線アクセスシステムに適用することができる。
【００３８】
ＣＤＭＡは、ＵＴＲＡ（Universal Terrestrial Radio Access）やＣＤＭＡ２０００などの無線技術（radio technology）によって具現することができる。ＴＤＭＡは、ＧＳＭ（登録商標）（Global System for Mobile communications）／ＧＰＲＳ（General Packet Radio Service）／ＥＤＧＥ（Enhanced Data Rates for GSM Evolution）などの無線技術によって具現することができる。ＯＦＤＭＡは、ＩＥＥＥ  ８０２．１１（Wi-Fi）、ＩＥＥＥ  ８０２．１６（WiMAX）、ＩＥＥＥ  ８０２−２０、Ｅ−ＵＴＲＡ（Evolved UTRA）などの無線技術によって具現することができる。
【００３９】
ＵＴＲＡは、ＵＭＴＳ（Universal Mobile Telecommunications System）の一部である。３ＧＰＰ  ＬＴＥ（Long Term Evolution）は、Ｅ−ＵＴＲＡを用いるＥ−ＵＭＴＳ（Evolved UMTS）の一部であり、下りリンクでＯＦＤＭＡを採用し、上りリンクでＳＣ−ＦＤＭＡを採用する。Ｌｔｅ−Ａ（Advanced）システムは、３ＧＰＰ  ＬＴＥシステムを改良したシステムである。本発明の技術的特徴に関する説明を明確にするために、本発明の実施例は、３ＧＰＰ  ＬＴＥ／ＬＴＥ−Ａシステムを中心に述べられるが、ＩＥＥＥ  ８０２．１６ｅ／ｍシステムなどに適用されてもよい。
【００４０】
１．３ＧＰＰ  ＬＴＥ／ＬＴＥ  Ａ  システム
【００４１】
１．１．物理チャネル及びこれを用いた信号送受信方法
【００４２】
無線アクセスシステムにおいて、端末は、下りリンク（ＤＬ：Ｄｏｗｎｌｉｎｋ）で基地局から情報を受信し、上りリンク（ＵＬ：Ｕｐｌｉｎｋ）で基地局に情報を送信する。基地局と端末とが送受信する情報は、一般データ情報及び種々の制御情報を含み、基地局と端末とが送受信する情報の種類／用途によって様々な物理チャネルが存在する。
【００４３】
図１は、本発明の実施例で使用可能な物理チャネル及びそれらを用いた信号送信方法を説明する図である。
【００４４】
電源が消えた状態で電源が入ったり、新しくセルに進入したりした端末は、Ｓ１１段階で、基地局と同期を取るなどの初期セルサーチ（探索）（Initial cell search）作業を行う。そのために、端末は、基地局から、プライマリ（主）同期チャネル（Ｐ−ＳＣＨ：Primary Synchronization CHannel）及びセカンダリ（副）同期チャネル（Ｓ−ＳＣＨ：Secondary Synchronization CHannel）を受信して基地局と同期を取り、セルＩＤなどの情報を取得する。
【００４５】
その後、端末は、基地局から物理ブロードキャストチャネル（ＰＢＣＨ：Physical Broadcast CHannel）信号を受信してセル内ブロードキャスト情報を取得することができる。
【００４６】
一方、端末は、初期セルサーチ段階で下りリンク参照信号（ＤＬ  ＲＳ：DownLink Reference Signal）を受信して下りリンクチャネル状態を確認することができる。
【００４７】
初期セルサーチを終えた端末は、Ｓ１２段階で、物理下りリンク制御チャネル（ＰＤＣＣＨ：Physical Downlink Control CHannel）、及び物理下りリンク制御チャネル情報に対応する物理下りリンク共有チャネル（ＰＤＳＣＨ：Physical Downlink Control CHannel）を受信して、より具体的なシステム情報を取得することができる。
【００４８】
その後、端末は、基地局への接続を完了するために、段階Ｓ１３〜段階Ｓ１６のようなランダムアクセス過程（Random Access Procedure）を行うことができる。そのために、端末は、物理ランダムアクセスチャネル（ＰＲＡＣＨ：Physical Random Access CHannel）でプリアンブル（preamble）を送信し（Ｓ１３）、物理下りリンク制御チャネル及びそれに対応する物理下りリンク共有チャネルでプリアンブルに対する応答メッセージを受信することができる（Ｓ１４）。コンテンション（競合）ベースの（contention-based）ランダムアクセスでは、端末は、更なる物理ランダムアクセスチャネル信号の送信（Ｓ１５）、並びに物理下りリンク制御チャネル信号及びそれに対応する物理下りリンク共有チャネル信号の受信（Ｓ１６）などの衝突解決手順（Contention Resolution Procedure）を行うことができる。
【００４９】
上述したような手順を行った端末は、その後、一般的な上りリンク／下りリンク信号送信手順として、物理下りリンク制御チャネル信号及び／又は物理下りリンク共有チャネル信号の受信（Ｓ１７）、及び物理上りリンク共有チャネル（ＰＵＳＣＨ：Physical Uplink Shared CHannel）信号及び／又は物理上りリンク制御チャネル（ＰＵＣＣＨ：Physical Uplink Control CHannel）信号の送信（Ｓ１８）を行うことができる。
【００５０】
端末が基地局に送信する制御情報を総称して上りリンク制御情報（ＵＣＩ：Uplink Control Information）という。ＵＣＩは、ＨＡＲＱ−ＡＣＫ／ＮＡＣＫ（Hybrid Automatic Repeat and reQuest ACKnowledgement/Negative-ACK）、ＳＲ（Scheduling Request）、ＣＱＩ（Channel Quality Indication）、ＰＭＩ（Precoding Matrix Indication）、ＲＩ（Rank Indication）情報などを含む。
【００５１】
ＬＴＥシステムにおいて、ＵＣＩは、一般的にＰＵＣＣＨで周期的に送信されるが、制御情報とトラフィックデータとが同時に送信されるべき場合には、ＰＵＳＣＨで送信されてもよい。また、ネットワークの要求／指示によって、ＰＵＳＣＨでＵＣＩを非周期的に送信することもできる。
【００５２】
１．２．リソースの構造
【００５３】
図２は、本発明の実施例で用いられる無線フレームの構造を示す図である。
【００５４】
図２（ａ）には、フレーム構造タイプ１（タイプ１フレーム構造）（frame structure type1）を示す。フレーム構造タイプ１は、全二重（full duplex）ＦＤＤ（Frequency Division Duplex）システムにも半二重（half duplex）ＦＤＤシステムにも適用可能である。
【００５５】
１つの無線フレーム（radio frame）は、Ｔf＝３０７２００×Ｔs＝１０ｍｓの長さを有するものであり、Ｔslot＝１５３６０×Ｔｓ＝０．５ｍｓの均等な長さを有し、０〜１９のインデックスが与えられた２０個のスロットで構成される。１つのサブフレームは、２個の連続したスロットで定義され、ｉ番目のサブフレームは、２ｉ及び２ｉ＋１に該当するスロットで構成される。すなわち、無線フレーム（radio frame）は、１０個のサブフレーム（subframe）で構成される。１つのサブフレームを送信するためにかかる時間をＴＴＩ（Transmission Time Interval）という。ここで、Ｔsは、サンプリング時間を表し、Ｔs＝１／（１５ｋＨｚ×２０４８）＝３．２５５２×１０-8（約３３ｎｓ）と表される。スロットは、時間領域において複数のＯＦＤＭシンボル又はＳＣ−ＦＤＭＡシンボルを含み、周波数領域において複数のリソースブロック（Resource Block）を含む。
【００５６】
１つのスロットは、時間領域において複数のＯＦＤＭ（Orthogonal Frequency Division Multiplexing）シンボルを含む。３ＧＰＰ  ＬＴＥでは、下りリンクにおいてＯＦＤＭＡが用いられるので、ＯＦＤＭシンボルは、１つのシンボル区間（symbol period）を表現するためのものである。ＯＦＤＭシンボルは、１つのＳＣ−ＦＤＭＡシンボル又はシンボル区間ということができる。リソースブロック（resource block）は、リソース割り当て単位であり、１つのスロットで複数の連続した副搬送波（subcarrier）を含む。
【００５７】
全二重ＦＤＤシステムでは、各１０ｍｓ区間において１０個のサブフレームを下りリンク送信と上りリンク送信とのために同時に利用することができる。このとき、上りリンク送信と下りリンク送信とは、周波数領域において分離される。これに対し、半二重ＦＤＤシステムでは、端末が送信と受信とを同時に行うことができない。
【００５８】
上述した無線フレームの構造は、１つの例に過ぎず、無線フレームに含まれるサブフレームの数、サブフレームに含まれるスロットの数、又はスロットに含まれるＯＦＤＭシンボルの数は、様々に変更されてもよい。
【００５９】
図２（ｂ）には、フレーム構造タイプ２（タイプ２フレーム構造）（frame structure type2）を示す。フレーム構造タイプ２は、ＴＤＤシステムに適用される。１つの無線フレーム（radio frame）は、Ｔf＝３０７２００×Ｔｓ＝１０ｍｓの長さを有し、１５３６００×Ｔｓ＝５ｍｓの長さを有する２個のハーフフレーム（half-frame）で構成される。各ハーフフレームは、３０７２０×Ｔs＝１ｍｓの長さを有する５個のサブフレームで構成される。ｉ番目のサブフレームは、２ｉ及び２ｉ＋１に該当する各Ｔslot＝１５３６０×Ｔｓ＝０．５ｍｓの長さを有する２個のスロットで構成される。ここで、Ｔsはサンプリング時間を表し、Ｔs＝１／（１５ｋＨｚ×２０４８）＝３．２５５２×１０-8（約３３ｎｓ）と表される。
【００６０】
フレームタイプ２には、ＤｗＰＴＳ（Downlink Pilot Time Slot）、ガード（保護）区間（ＧＰ：Guard Period）、ＵｐＰＴＳ（Uplink Pilot Time Slot）の３つのフィールドで構成されるスペシャル（特別）（special）サブフレームが含まれる。ここで、ＤｗＰＴＳは、端末における初期セルサーチ、同期化又はチャネル推定に用いられる。ＵｐＰＴＳは、基地局におけるチャネル推定及び端末との上り伝送同期化に用いられる。ガード区間は、上りリンクと下りリンクとの間で、下りリンク信号のマルチパス（多重経路）（multi-path）遅延による上りリンクにおける干渉を除去するための区間である。
【００６１】
次の表１は、スペシャルフレームの構成（ＤｗＰＴＳ／ＧＰ／ＵｐＰＴＳの長さ）を表す。
【００６２】
＜表１＞
【表１】
2019537385.tif 000003
【００６３】
図３は、本発明の実施例で利用可能な下りリンクスロットに関するリソースグリッド（resource grid）を例示する図である。
【００６４】
図３を参照すると、１つの下りリンクスロットは、時間領域において複数のＯＦＤＭシンボルを含む。ここで、１つの下りリンクスロットは、７個のＯＦＤＭシンボルを含み、１つのリソースブロックは、周波数領域において１２個の副搬送波を含むとしているが、これに限定されるものではない。
【００６５】
リソースグリッド上の各要素をリソースエレメント（要素）（resource element）といい、１つのリソースブロックは、１２×７個のリソースエレメントを含む。下りリンクスロットに含まれるリソースブロックの数ＮDLは、下りリンク送信帯域幅（bandwidth）に依存（従属）する（depends on）。上りリンクスロットの構造は、下りリンクスロットの構造と同一である。
【００６６】
図４には、本発明の実施例で利用可能な上りリンクサブフレームの構造を示す。
【００６７】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波の特性を維持するため、１つの端末は、ＰＵＣＣＨとＰＵＳＣＨとを同時に送信しない。１つの端末に対するＰＵＣＣＨには、サブフレーム内にＲＢ対が割り当てられる。ＲＢ対に属するＲＢは、２個のスロットのそれぞれにおいて異なる副搬送波を占める。このようなＰＵＣＣＨに割り当てられたＲＢ対は、スロット境界（slot boundary）で周波数ホッピング（跳躍）（frequency hopping）する、という。
【００６８】
図５は、本発明の実施例で利用可能な下りリンクサブフレームの構造を示す図である。
【００６９】
図５を参照すると、サブフレームにおける１番目のスロットにおいてＯＦＤＭシンボルインデックス０から最大で３個までのＯＦＤＭシンボルは、制御チャネルが割り当てられる制御領域（control region）であり、残りのＯＦＤＭシンボルは、ＰＤＳＣＨが割り当てられるデータ領域（data region）である。３ＧＰＰ  ＬＴＥで用いられる下りリンク制御チャネルの例には、ＰＣＦＩＣＨ（Physical Control Format Indicator CHannel）、ＰＤＣＣＨ、ＰＨＩＣＨ（Physical Hybrid-ARQ Indicator CHannel）などがある。
【００７０】
ＰＣＦＩＣＨは、サブフレームの１番目のＯＦＤＭシンボルで送信され、サブフレームにおいて制御チャネルの送信のために用いられるＯＦＤＭシンボルの数（すなわち、制御領域のサイズ）に関する情報を搬送する。ＰＨＩＣＨは、上りリンクに対する応答チャネルであり、ＨＡＲＱ（Hybrid Automatic Repeat reQuest）に対するＡＣＫ（ACKnowledgement）／ＮＡＣＫ（Negative-ACKnowledgement）信号を搬送する。ＰＤＣＣＨで送信される制御情報を下りリンク制御情報（ＤＣＩ：Downlink Control Information）という。下りリンク制御情報は、上りリンクリソース割り当て情報、下りリンクリソース割り当て情報、又は任意の端末グループに対する上りリンク送信（Ｔｘ）電力制御命令を含む。
【００７１】
１．３．ＣＳＩフィードバック
【００７２】
３ＧＰＰ  ＬＴＥ又はＬＴＥ−Ａシステムでは、ユーザ機器（ＵＥ）がチャネル状態情報（ＣＳＩ）を基地局（ＢＳ又はｅＮＢ）に報告するように定義されている。ここで、チャネル状態情報（ＣＳＩ）は、ＵＥとアンテナポートとの間に形成される無線チャネル（又は、リンク）の品質を示す情報を総称する。
【００７３】
例えば、チャネル状態情報（ＣＳＩ）は、ランク指示子（Ｒａｎｋ  Ｉｎｄｉｃａｔｏｒ，ＲＩ）、プリコーディング行列指示子（Ｐｒｅｃｏｄｉｎｇ  Ｍａｔｒｉｘ  Ｉｎｄｉｃａｔｏｒ，ＰＭＩ）、チャネル品質指示子（Ｃｈａｎｎｅｌ  Ｑｕａｌｉｔｙ  Ｉｎｄｉｃａｔｏｒ，ＣＱＩ）などを含む。
【００７４】
ここで、ＲＩは、当該チャネルのランク（rank）情報を示し、これは、ＵＥが同一の時間−周波数リソースを介して受信するストリーム数を意味する。この値は、チャネルの長期フェージング（Long Term Fading）に依存して（により従属されて）（depending on）決定される。そして、通常、ＲＩは、ＰＭＩ、ＣＱＩより長い周期でＵＥによってＢＳにフィードバックされる。
【００７５】
ＰＭＩは、チャネル空間特性を反映した値であって、ＳＩＮＲなどのメトリック（メートル）（metric）を基準としてＵＥが選好するプリコーディングインデックスを示す。
【００７６】
ＣＱＩは、チャネルの強度を示す値であって、通常、ＢＳがＰＭＩを用いたときに得られる受信ＳＩＮＲを意味する。
【００７７】
３ＧＰＰ  ＬＴＥ又はＬＴＥ−Ａシステムにおいて、基地局は、複数のＣＳＩプロセスをＵＥに設定し、ＵＥから各プロセスに対するＣＳＩの報告を受ける。ここで、ＣＳＩプロセスは、基地局からの信号品質の特定のためのＣＳＩ−ＲＳと干渉測定のためのＣＳＩ干渉測定（ＣＳＩ−ｉｎｔｅｒｆｅｒｅｎｃｅ  ｍｅａｓｕｒｅｍｅｎｔ，ＣＳＩ−ＩＭ）リソースとで構成される。
【００７８】
１．４．ＲＲＭ測定
【００７９】
ＬＴＥシステムでは、電力制御（Power control）、スケジューリング（Scheduling）、セル検索（Cell search）、セル再選択（Cell reselection）、ハンドオーバ（Handover）、無線リンク又は接続モニタリング（Radio link or Connection monitoring）、接続確立／再確立（Connection establish/re-establish）などを含むＲＲＭ（Radio Resource Management）動作をサポートする。このとき、サービングセルは、端末にＲＲＭ動作を行うための測定値であるＲＲＭ測定（measurement）情報を要求（要請）する（request）ことができる。代表的な情報として、ＬＴＥシステムにおいて、端末は、各セルに対するセル検索（Cell search）情報、ＲＳＲＰ（Reference Signal Received Power）、ＲＳＲＱ（Reference Signal Received Quality）などの情報を測定して報告することができる。具体的には、ＬＴＥシステムにおいて、端末は、サービングセルからＲＲＭ測定のための上位層信号として「measConfig」が伝達され、端末は、この「measConfig」の情報に従ってＲＳＲＰ又はＲＳＲＱを測定する。
【００８０】
ここで、ＬＴＥシステムにおいて定義するＲＳＲＰ、ＲＳＲＱ、ＲＳＳＩは、以下のように定義される。
【００８１】
先ず、ＲＳＲＰは、考慮される測定周波数帯域内のセル固有（特定）の（cell-specific）参照信号を送信するリソースエレメントの電力分布（ｐｏｗｅｒ  ｃｏｎｔｒｉｂｕｔｉｏｎ（distribution）、［Ｗ］単位）の線形平均で定義される。（Ｒｅｆｅｒｅｎｃｅ  Ｓｉｇｎａｌ  Ｒｅｃｅｉｖｅｄ  Ｐｏｗｅｒ  （RSRP），  ｉｓ  ｄｅｆｉｎｅｄ  ａｓ  ｔｈｅ  ｌｉｎｅａｒ  ａｖｅｒａｇｅ  ｏｖｅｒ  ｔｈｅ  ｐｏｗｅｒ  ｃｏｎｔｒｉｂｕｔｉｏｎｓ  （in [W]） of the resource elements that carry cell-specific reference signals within the considered measurement frequency bandwidth.）一例として、ＲＳＲＰの決定のためにセル固有の参照信号Ｒ０が活用できる。（For RSRP determination the cell-specific reference signals R0 shall be used.）ＵＥがセル固有の参照信号Ｒ１が利用可能であると検出する場合、ＵＥは、Ｒ１をさらに用いてＲＳＲＰを決定する。（If the UE can reliably detect that R1 is available it may use R1 in addition to R0 to determine RSRP.）
【００８２】
ＲＳＲＰのための参照ポイントは、ＵＥのアンテナコネクタとなり得る。（The reference point for the RSRP shall be the antenna connector of the UE.）
【００８３】
ＵＥが受信器ダイバーシチを用いる場合、報告される値は、個別のダイバーシチブランチに対応するＲＳＲＰより小さくてはならない。（If receiver diversity is in use by the UE, the reported value shall not be lower than the corresponding RSRP of any of the individual diversity branches.）
【００８４】
次いで、ＮがＥ−ＵＴＲＡ搬送波ＲＳＳＩ測定帯域幅のＲＢの数であるとき、ＲＳＲＱは、Ｅ−ＵＴＲＡ搬送波ＲＳＳＩに対するＲＳＲＰの比率として、Ｎ×ＲＳＲＰ／（E-UTRA carrier RSSI）と定義される。（Ｒｅｆｅｒｅｎｃｅ  Ｓｉｇｎａｌ  Ｒｅｃｅｉｖｅｄ  Ｑｕａｌｉｔｙ  （RSRQ） ｉｓ  ｄｅｆｉｎｅｄ  ａｓ  ｔｈｅ  ｒａｔｉｏ  Ｎ＊ＲＳＲＰ／（E-UTRA carrier RSSI），  ｗｈｅｒｅ  Ｎ  ｉｓ  ｔｈｅ  ｎｕｍｂｅｒ  ｏｆ  ＲＢｓ  ｏｆ  ｔｈｅ  Ｅ−ＵＴＲＡ  ｃａｒｒｉｅｒ  ＲＳＳＩ  ｍｅａｓｕｒｅｍｅｎｔ  ｂａｎｄｗｉｄｔｈ．）この測定値の分母及び分子は、リソースブロックの同一のセットによって決定される。（The measurements in the numerator and denominator shall be made over the same set of resource blocks.）
【００８５】
Ｅ−ＵＴＲＡ搬送波ＲＳＳＩは、同一（共同）チャネル（co-channel）サービング及び非サービングセル、隣接チャネルの干渉、熱雑音などを含む全てのソースからの受信信号に対して、Ｎ個のリソースブロックにわたって、測定帯域幅でアンテナポート０に対する参照シンボルを含むＯＦＤＭシンボルのみで端末によって測定された受信全電力（［Ｗ］単位）の線形平均を含む。（Ｅ−ＵＴＲＡ  Ｃａｒｒｉｅｒ  Ｒｅｃｅｉｖｅｄ  Ｓｉｇｎａｌ  Ｓｔｒｅｎｇｔｈ  Ｉｎｄｉｃａｔｏｒ  （RSSI），  ｃｏｍｐｒｉｓｅｓ  ｔｈｅ  ｌｉｎｅａｒ  ａｖｅｒａｇｅ  ｏｆ  ｔｈｅ  ｔｏｔａｌ  ｒｅｃｅｉｖｅｄ  ｐｏｗｅｒ  （in [W]） observed only in OFDM symbols containing reference symbols for antenna port 0, in the measurement bandwidth, over N number of resource blocks by the UE from all sources, including co-channel SERVING and non-SERVING cells, adjacent channel interference, thermal noise etc.）上位層シグナリングがＲＳＲＱ測定のためのあるサブフレームを指示した場合、指示されたサブフレームにおける全てのＯＦＤＭシンボルに対してＲＳＳＩが測定される。（If higher-layer signaling indicates certain subframes for performing RSRQ measurements, then RSSI is measured over all OFDM symbols in the indicated subframes.）
【００８６】
ＲＳＲＱのための参照ポイントは、ＵＥのアンテナコネクタになり得る。（The reference point for the RSRQ shall be the antenna connector of the UE.）
【００８７】
ＵＥが受信器ダイバーシチを用いる場合、報告される値は、個別のダイバーシチブランチに対応するＲＳＲＱより小さくてはならない。（If receiver diversity is in use by the UE, the reported value shall not be lower than the corresponding RSRQ of any of the individual diversity branches.）
【００８８】
次いで、ＲＳＳＩは、受信器パルス状のフィルタによって定義された帯域幅内の熱雑音及び受信器から生成された雑音を含む受信した広帯域電力で定義される。（Ｒｅｃｅｉｖｅｄ  Ｓｉｇｎａｌ  Ｓｔｒｅｎｇｔｈ  Ｉｎｄｉｃａｔｏｒ  （RSSI） is defined as the received wide band power, including thermal noise and noise generated in the receiver, within the bandwidth defined by the receiver pulse shaping filter.）
【００８９】
測定のための参照ポイントは、ＵＥのアンテナコネクタになり得る。（The reference point for the measurement shall be the antenna connector of the UE.）
【００９０】
ＵＥが受信器ダイバーシチを用いる場合、報告される値は、個別のダイバーシチブランチに対応するＵＴＲＡ搬送波ＲＳＳＩより小さくてはならない。（If receiver diversity is in use by the UE, the reported value shall not be lower than the corresponding UTRA carrier RSSI of any of the individual receive antenna branches.）
【００９１】
上記の定義に従って、ＬＴＥシステムにおいて動作する端末は、周波数間の測定（Intra-frequency measurement）の場合、ＳＩＢ３（System Information Block Type 3）から送信される許可（許容）された測定帯域幅（Allowed measurement bandwidth）関連のＩＥ（Information Element）を介して指示される帯域幅でＲＳＲＰを測定することができる。また、周波数内の測定（Inter-frequency measurement）である場合、端末は、ＳＩＢ５から送信される許可された測定帯域幅を介して指示された６、１５、２５、５０、７５、１００個のＲＢ（Resource Block）のうちの１つに対応する帯域幅でＲＳＲＰを測定することができる。また、上述したようなＩＥがない場合、端末は、デフォルト動作として全ＤＬ（DownLink）システム周波数帯域でＲＳＲＰを測定することができる。
【００９２】
このとき、端末が許可された測定帯域幅に関する情報を受信する場合、端末は、当該値を最大の測定帯域幅（maximum measurement bandwidth）として、当該値におけるＲＳＲＰの値を自由に測定することができる。但し、サービングセルがＷＢ−ＲＳＲＱと定義されるＩＥを端末に送信して、許可された測定帯域幅を５０個以上のＲＢに設定する場合、端末は、許可された測定帯域幅に対するＲＳＲＰ値を全て算出する必要がある。一方、端末は、ＲＳＳＩを測定するとき、ＲＳＳＩ帯域幅の定義に従って、端末の受信器が有する周波数帯域を用いてＲＳＳＩを測定する。
【００９３】
１.５.ＲＬＭ（Radio Link Monitoring）
【００９４】
図６は、無線リンク失敗（Radio Link Failure、ＲＬＦ）を検出する方法に関する流れ図である。
【００９５】
複数のサービングセルを含むキャリアアグリゲーション（併合）（aggregation）システムにおける端末は、サービングセルに対する無線リンクモニタリング（Radio Link Monitoring；ＲＬＭ）を行う。
【００９６】
ＲＬＭの場合、端末は、ＣＲＳに基づいてサービングセル（例えば、Ｐｒｉｍａｒｙ  Ｃｅｌｌ；ＰＣｅｌｌ）の下りリンク無線リンク品質をモニタリングすることができる。具体的には、端末は、ＣＲＳに基づいて単一のサブフレームにおける無線リンク品質を推定し、推定値（例えば、ＳＮＲ（Signal to Noise Ratio）又はＳＩＮＲ（Signal to Interference and Noise Ratio））を閾値（臨界値）（threshold value）（Ｑｏｕｔ、Ｑｉｎ）と比較して、無線リンク状態（例えば、ｏｕｔ−ｏｆ−ｓｙｎｃ又はｉｎ−ｓｙｎｃ）をモニタリング／評価する。無線リンク状態がｉｎ−ｓｙｎｃである場合、端末は、基地局と正常に通信を行う／維持することができ、無線リンク状態がｏｕｔ−ｏｆ−ｓｙｎｃである場合、端末は、無線リンクに失敗したと見なしてＲＲＣ接続（連結）（RRC connection）の再確立、ハンドオーバ、セル再選択、セル測定などの動作を行う。Ｑｏｕｔは、下りリンク無線リンクが信頼性を有して受信されないレベルと定義され、表２のパラメータを仮定した状態でＰＣＦＩＣＨエラーを考慮した場合、理論的（hypothetical）ＰＤＣＣＨ送信のＢＬＥＲ（Block Error Rate）１０％に該当（対応）する（corresponds to）。閾値Ｑｉｎは、下りリンク無線リンクが有意に信頼性を有して受信されるレベルと定義され、表３のパラメータを仮定した状態でＰＣＦＩＣＨエラーを考慮した場合、理論的ＰＤＣＣＨ送信のＰＤＣＣＨ  ＢＬＥＲ２％に該当する。上位層（例えば、ＲＲＣ）シグナリングによりＲＬＭが行われるサブフレームが制限されることができる。
【００９７】
表２は、ｏｕｔ−ｏｆ−ｓｙｎｃに対するＰＤＣＣＨ／ＰＣＦＩＣＨ送信パラメータを示し、表３は、ｉｎ−ｓｙｎｃに対するＰＤＣＣＨ／ＰＣＦＩＣＨ送信パラメータを示す。
【００９８】
＜表２＞
【表２】
2019537385.tif 000004
【００９９】
＜表３＞
【表３】
2019537385.tif 000005
【０１００】
端末の物理層は、サービングセル（例えば、ＰＣｅｌｌ）の下りリンク無線リンク品質をモニタリングし、上位層（例えば、ＲＲＣ）にｏｕｔ−ｏｆ−ｓｙｎｃ／ｉｎ−ｓｙｎｃ状態を知らせる。具体的には、無線リンク品質がＱｉｎより良い場合、端末の物理層は、無線リンク品質が評価された無線フレームで上位層にｉｎ−ｓｙｎｃと指示する。非ＤＲＸモードにおいて、端末の物理層は、無線フレームごとに無線リンク品質を評価し、ＤＲＸモードにおいて、端末の物理層は、ＤＲＸ周期ごとに少なくとも１回、無線リンク品質を評価する。上位層シグナリングが制限された（restricted）ＲＬＭのためのサブフレームを指示する場合、指示されなかったサブフレームでは無線リンク品質の評価が行われない。それから、端末の物理層は、無線リンク品質がＱｏｕｔより悪い場合、無線リンク品質が評価された無線フレームで上位層にｏｕｔ−ｏｆ−ｓｙｎｃと指示する。
【０１０１】
無線リンク状態がｉｎ−ｓｙｎｃである場合、端末は、基地局と正常に通信を行う／維持することができる。無線リンク状態がｏｕｔ−ｏｆ−ｓｙｎｃである場合、端末は、無線リンクに対してＲＬＦ（Radio link Failure）が発生したと見なす。ＰＣｅｌｌについて無線リンク失敗（Radio link Failure；ＲＬＦ）が発生すると、図６のような方法により端末の手順が進行する。図６に示したように、無線リンク失敗に関連する動作は、２つの段階からなる。
【０１０２】
第１段階は、無線リンク問題が検出されて始まる。これは、無線リンク失敗の検出に繋がる。第１段階では、端末ベース（基盤）のモビリティ（移動性）（UE-based mobility）がなく、タイマＴ１に基づく。
【０１０３】
第２段階は、無線リンク失敗が検出されたか、又はハンドオーバに失敗したときに始まる。これは、ＲＲＣ＿ＩＤＬＥ状態に繋がるが、第２段階では、端末ベースのモビリティが存在し、タイマＴ２に基づく。
【０１０４】
第２段階において、端末がＲＲＣ接続（状態）を再開し、ＲＲＣ＿ＩＤＬＥ状態への転換を避けるために、端末は、無線リンク失敗が発見された該当セルに戻るとき、同じ基地局で無線リンク失敗が発見されたセルとは異なるセルを選択するとき、又は他の基地局でセルを選択するとき、以下のような手順が適用される。
【０１０５】
１．端末は、Ｔ２の時間の間、ＲＲＣ＿ＣＯＮＮＥＣＴＥＤ状態を維持する。
【０１０６】
２．端末は、ランダムアクセス手順によりセルに接続する。
【０１０７】
３．基地局は、衝突解決ランダムアクセス（接続）（contention resolution random access）手順内で使用された端末の識別情報又は識別子（identifier）（例えば、ＲＬＦが発生したセルにおける端末のＣ−ＲＮＴＩ、該当セルの物理層の識別情報（身元）（ＩＤ）、該当セルのセキュリティ（保安）（security）キーに基づく短いＭＡＣ−Ｉなど）を用いて該当端末であることを確認し、記憶されたコンテキスト（context）が端末のものであるか否かを確認する。このとき、好ましくは、衝突解決ランダムアクセス手順内で使用される端末の識別情報は、衝突解決ランダムアクセス手順のうち、ランダムアクセスプリアンブルの送信時に使用する情報である。
【０１０８】
上述した「３．」において、基地局が記憶されたコンテキストが該当端末の識別情報と一致することを発見した場合、基地局は、端末に、端末のＲＲＣ接続が再開始できることを知らせる。一方、基地局がコンテキストを発見できなかった場合、端末と基地局との間のＲＲＣ接続が解除され（released）、端末は、新しいＲＲＣ接続を確立するための手順を始める。この場合、端末は、ＲＲＣ＿ＩＤＬＥ状態に転換される。
【０１０９】
整理すると、ＬＴＥシステムでは、ＰＤＣＣＨ／ＰＣＦＩＣＨをＲＬＭ（Radio link Monitoring）のための基準チャネルとして定義し、定義された基準チャネルを介してＩｎ−Ｓｙｃｎ／Ｏｕｔ−ｏｆ−ｓｙｎｃの状態を定義するための通信品質の閾値を定義する。このとき、基準チャネルとなるＰＤＣＣＨが常に送信されるものではないので、端末は、ＰＤＣＣＨが送信される領域のＳＮＲによりＰＤＣＣＨチャネルの品質を予測し、これを閾値と比較する過程によりＲＬＭを行う。
【０１１０】
２．新しい無線アクセス技術（New Radio Access Technology）システム
【０１１１】
多数の通信機器がより大きな通信容量を要求することにより、既存の無線アクセス技術（Radio Access Technology、ＲＡＴ）に比べて向上した端末広帯域（Mobile Broadband）通信の必要性が高まっている。また、多数の機器やモノを接続して、いつでもどこでも多様なサービスを提供する大規模（massive）ＭＴＣ（Machine Type Communications）も必要となっている。さらに、信頼性及び遅延などにセンシティブなサービス／ＵＥを考慮した通信システムのデザインが提示されている。
【０１１２】
このように向上した端末広帯域通信（Enhanced mobile broadband communication）、大規模ＭＴＣ、ＵＲＬＬＣ（Ultra-Reliable and Low Latency Communication）などを考慮した新しい無線アクセス技術であって、新しい無線アクセス技術システムが提案されている。以下、本発明では、便宜上、該当技術をＮｅｗ  ＲＡＴ又はＮＲ（New Radio）と称する。
【０１１３】
２．１．ニューマロロジ（Numerologies）
【０１１４】
本発明が適用可能なＮＲシステムにおいては、以下の表のような様々なＯＦＤＭニューマロロジがサポートされている。このとき、搬送波帯域幅の部分（carrier bandwidth part）ごとのμ及びサイクリックプリフィックス（循環前置）（cyclic prefix）情報は、下りリンク（ＤＬ）又は上りリンク（ＵＬ）ごとに各々シグナリングされる。一例として、下りリンク搬送波帯域幅の部分（downlink carrier bandwidth part）のためのμ及びサイクリックプリフィックス（cyclic prefix）情報は、上位層シグナリングＤＬ−ＢＷＰ−ｍｕ及びＤＬ−ＭＷＰ−ｃｐを通じてシグナリングされる。他の例として、上りリンク搬送波帯域幅の部分（uplink carrier bandwidth part）のためのμ及びサイクリックプリフィックス（cyclic prefix）情報は、上位層シグナリングＵＬ−ＢＷＰ−ｍｕ及びＵＬ−ＭＷＰ−ｃｐを通じてシグナリングされる。
【０１１５】
＜表４＞
【表４】
2019537385.tif 000006
【０１１６】
２．２．フレーム構造
【０１１７】
下りリンク及び上りリンクの伝送は、１０ｍｓの長さのフレームで構成される。フレームは、１ｍｓの長さの１０個のサブフレームで構成される。このとき、各々のサブフレームごとに連続するＯＦＤＭのシンボルの数は、
2019537385.tif 000007
である。
【０１１８】
各々のフレームは、２つの同じサイズのハーフフレーム（half-frame）で構成される。このとき、各々のハーフフレームは、サブフレーム０−４及びサブフレーム５−９で構成される。
【０１１９】
副搬送波間隔（subcarrier spacing）μに対して、スロットは、１つのサブフレーム内において昇順に
2019537385.tif 000008
のようにナンバリングされ、１つのフレーム内において昇順に
2019537385.tif 000009
のようにナンバリングされる。このとき、１つのスロット内で連続するＯＦＤＭのシンボルの数（
2019537385.tif 000010
）は、サイクリックプリフィックスによって以下の表のように決定される。１つのサブフレーム内の開始スロット（
2019537385.tif 000011
）は、同じサブフレーム内の開始ＯＦＤＭのシンボル（
2019537385.tif 000012
）と時間の次元で整列（位置合わせ）されている（aligned）。以下の表５は、ノーマルサイクリックプリフィックス（一般循環前置）（normal cyclic prefix）のためのスロットごと／フレームごと／サブフレームごとのＯＦＤＭのシンボルの数を示し、表６は、拡張サイクリックプリフィックス（拡張された循環前置）（extended cyclic prefix）のためのスロットごと／フレームごと／サブフレームごとのＯＦＤＭのシンボルの数を示す。
【０１２０】
＜表５＞
【表５】
2019537385.tif 000013
【０１２１】
＜表６＞
【表６】
2019537385.tif 000014
【０１２２】
本発明が適用可能なＮＲシステムにおいては、上記のようなスロット構造であって、セルフスロット構造（Self-Contained subframe structure）が適用されている。
【０１２３】
図７は、本発明に適用可能なセルフサブフレーム構造（Self-Contained subframe structure）を示す図である。
【０１２４】
図７において、斜線領域（例えば、ｓｙｍｂｏｌ  ｉｎｄｅｘ＝０）は、下りリンク制御（downlink control）領域を示し、黒色領域（例えば、ｓｙｍｂｏｌ  ｉｎｄｅｘ＝１３）は、上りリンク制御（uplink control）領域を示す。その他の領域（例えば、ｓｙｍｂｏｌ  ｉｎｄｅｘ＝１〜１２）は、下りリンクデータ伝送又は上りリンクデータ伝送のために使用される。
【０１２５】
このような構造により、基地局及びＵＥは、１つのスロット内でＤＬ伝送とＵＬ伝送とを順次行うことができ、１つのスロット内でＤＬデータを送受信し、これに対するＵＬ  ＡＣＫ／ＮＡＣＫも送受信することができる。結果として、この構造では、データ伝送エラーの発生時にデータの再伝送までにかかる時間を短縮させることにより、最終データ伝達の遅延を最小にすることができる。
【０１２６】
このようなセルフスロット構造においては、基地局及びＵＥが送信モードから受信モードに、又は受信モードから送信モードに転換するために一定時間の長さのタイムギャップ（time gap）が必要である。このために、セルフスロット構造において、ＤＬからＵＬに転換される時点の一部のＯＦＤＭシンボルは、ガード区間（Guard Period、ＧＰ）として設定されることができる。
【０１２７】
以上では、セルフスロット構造がＤＬ制御領域及びＵＬ制御領域を全て含む場合を説明したが、制御領域は、セルフスロット構造に選択的に含まれることができる。即ち、本発明によるセルフスロット構造は、図７に示したように、ＤＬ制御領域及びＵＬ制御領域を全て含む場合だけではなく、ＤＬ制御領域又はＵＬ制御領域のみを含む場合もある。
【０１２８】
一例として、スロットは、様々なスロットフォーマットを有することができる。このとき、各々のスロットのＯＦＤＭシンボルは、下りリンク（‘Ｄ’と表す）、フレキシブル（‘Ｘ’と表す）及び上りリンク（‘Ｕ’と表す）に分類される。
【０１２９】
したがって、下りリンクスロットにおいて、ＵＥは、下りリンク伝送が‘Ｄ’及び‘Ｘ’シンボルでのみ発生すると仮定できる。同様に、上りリンクスロットにおいて、ＵＥは、上りリンク伝送が‘Ｕ’及び‘Ｘ’シンボルでのみ発生すると仮定できる。
【０１３０】
２．３．アナログビームフォーミング（形成）（Analog Beamforming）
【０１３１】
ミリ波（Millimeter Wave、ｍｍＷ）は波長が短いので、同一面積に多数のアンテナエレメント（要素）（element）の設置が可能である。即ち、３０ＧＨｚ帯域において、波長は、１ｃｍであるので、５×５ｃｍのパネルに０．５ｌａｍｂｄａ（波長）間隔で２次元（2-dimension）配列する場合、合計１００個のアンテナエレメントを設けることができる。これにより、ミリ波（mmW）では、多数のアンテナエレメントを使用してビームフォーミング（BeamForming、ＢＦ）利得を上げてカバレッジを増加させるか、或いはスループット（throughput）を向上させることができる。
【０１３２】
このとき、アンテナエレメントごとに伝送電力（パワー）（power）及び位相の調節ができるように、各々のアンテナエレメントは、ＴＸＲＵ（Transceiver）を含む。これにより、各々のアンテナエレメントは、周波数リソースごとに独立したビームフォーミングを行うことができる。
【０１３３】
しかしながら、１００余個の全てのアンテナエレメントにＴＸＲＵを設けることは、コストの面で実効性が乏しい。したがって、１つのＴＸＲＵに多数のアンテナエレメントをマッピングし、アナログ位相シフタ（analog phase shifter）でビーム方向を調節する方式が考えられている。かかるアナログビームフォーミング方式では、全帯域において１つのビーム方向しか形成できないので、周波数選択ビームフォーミングが難しいという短所がある。
【０１３４】
これを解決するために、デジタルビームフォーミング及びアナログビームフォーミングの中間形態として、Ｑ個のアンテナエレメントより少ない数のＢ個のＴＸＲＵを有するハイブリッドビームフォーミング（hybrid BF）が考えられる。この場合、Ｂ個のＴＸＲＵとＱ個のアンテナエレメントとの接続方式によって差（違い）はあるが、同時に伝送可能なビームの方向は、Ｂ個以下に制限される。
【０１３５】
図８及び図９は、ＴＸＲＵとアンテナエレメント（element）との代表的な接続方式を示す図である。ここで、ＴＸＲＵ仮想化（virtualization）モデルは、ＴＸＲＵの出力信号とアンテナエレメントの出力信号との関係を示す。
【０１３６】
図８は、ＴＸＲＵが部分配列（サブアレイ）（sub-array）に接続された方式を示している。図８の場合、アンテナエレメントは、１つのＴＸＲＵのみに接続される。
【０１３７】
反面、図９は、ＴＸＲＵが全てのアンテナエレメントに接続された方式を示している。図９の場合、アンテナエレメントは、全てのＴＸＲＵに接続される。このとき、アンテナエレメントが全てのＴＸＲＵに接続されるためには、図９に示したように、別の加算器が必要である。
【０１３８】
図８及び図９において、Ｗは、アナログ位相シフタ（analog phase shifter）により乗じられる位相ベクトルを示す。即ち、Ｗは、アナログビームフォーミングの方向を決定する主要パラメータである。ここで、ＣＳＩ−ＲＳアンテナポートと複数のＴＸＲＵとのマッピングは、１：１又は１：多である。
【０１３９】
図８の構成によれば、ビームフォーミングの集束（フォーカシング）が難しいという短所があるが、全てのアンテナ構成を低価で構成できるという長所がある。
【０１４０】
図９の構成によれば、ビームフォーミングの集束が容易であるという長所がある。但し、全てのアンテナエレメントにＴＸＲＵが接続されるので、全体のコストが増加するという短所がある。
【０１４１】
本発明が適用可能なＮＲシステムにおいて、複数のアンテナが使用される場合、デジタルビームフォーミング（Digital beamforming）とアナログビームフォーミングとを組み合わせたハイブリッドビームフォーミング（hybrid beamforming）方式が適用される。このとき、アナログビームフォーミング（又はＲＦ（Radio Frequency）ビームフォーミング）は、ＲＦ端でプリコーディング（又は組み合わせ（combining））を行う動作を意味する。また、ハイブリッドビームフォーミングにおいて、ベースバンド（baseband）端（end）及びＲＦ端は、各々プリコーティング（又は組み合わせ）を行う。これにより、ＲＦチェーンの数及びＤ／Ａ（Digital To Analog）（又はＡ／Ｄ（Analog To Digital））コンバータの数を減らしながら、デジタルビームフォーミングに近い性能（performance）を得られるという長所がある。
【０１４２】
説明の便宜上、ハイブリッドビームフォーミングの構造は、Ｎ個の送受信端（Transceiver Unit、ＴＸＲＵ）とＭ個の物理アンテナとで表すことができる。このとき、送信端から伝送するＬ個のデータ層（digital layer）に対するデジタルビームフォーミングは、Ｎ×Ｌ（L by L）行列で表される。その後、変換されたＮ個のデジタル信号は、ＴＸＲＵを介してアナログ信号に変換され、変換された信号に対してＭ×Ｎ（M by N）行列で表されるアナログビームフォーミングが適用される。
【０１４３】
図１０は、本発明の一例によるＴＸＲＵ及び物理アンテナの観点におけるハイブリッドビームフォーミングの構造を簡単に示す図である。このとき、図１０において、デジタルビームの数はＬ個であり、アナログビームの数はＮ個である。
【０１４４】
さらに、本発明が適用可能なＮＲシステムにおいては、基地局がアナログビームフォーミングをシンボル単位で変更できるように設計して、所定の地域に位置する端末に効率的なビームフォーミングをサポートする方法が考えられる。さらに、図１０に示したように、所定のＮ個のＴＸＲＵとＭ個のＲＦアンテナとを１つのアンテナパネルに定義したとき、本発明によるＮＲシステムにおいて、互いに独立したハイブリッドビームフォーミングが適用可能な複数のアンテナパネルを導入する方法（方案）（method）も考えられる。
【０１４５】
以上のように基地局が複数のアナログビームを活用する場合、端末ごとに信号の受信に有利なアナログビームが異なる。よって、本発明が適用可能なＮＲシステムにおいては、基地局が所定のサブフレーム（ＳＦ）内でシンボルごとに異なるアナログビームを適用して（少なくとも、同期信号、システム情報、ページング（paging）など）信号を伝送することにより、全ての端末が受信機会を得るようにするビームスウィーピング（beam sweeping）動作が考えられている。
【０１４６】
図１１は、本発明の一例による下りリンク（ＤｏｗｎＬｉｎｋ、ＤＬ）伝送過程において、同期信号（Synchronization signal）及びシステム情報（System information）に関するビームスウィーピング（Beam sweeping）動作を簡単に示す図である。
【０１４７】
図１１において、本発明が適用可能なＮＲシステムのシステム情報がブロードキャスト（Broadcasting）方式で伝送される物理リソース（又は物理チャネル）を、ｘＰＢＣＨ（Physical Broadcast CHannel）と称する。このとき、１つのシンボル内で互いに異なるアンテナパネルに属する複数のアナログビームは、同時に伝送可能である。
【０１４８】
また、図１１に示したように、本発明が適用可能なＮＲシステムにおいて、アナログビームごとのチャネルを測定するための構成であって、（所定のアンテナパネルに対応する）単一のアナログビームが適用されて伝送される参照信号（Reference Signal、ＲＳ）であるビーム参照信号（Beam RS、ＢＲＳ）の導入が論議されている。ＢＲＳは、複数のアンテナポートに対して定義され、ＢＲＳの各々のアンテナポートは、単一のアナログビームに対応する。このとき、ＢＲＳとは異なり、同期信号又はｘＰＢＣＨは、任意の（ランダムな）（random）端末がよく受信するようにアナログビームのグループ内の全てのアナログビームが適用されて伝送される。
【０１４９】
２．４．同期信号ブロック（Synchronization Signal Block）
【０１５０】
本発明が適用可能なＮＲシステムにおいて、ＰＳＳ（Primary Synchronization Signal）、ＳＳＳ（Secondary Synchronization Signal）及び／又はＰＢＣＨ（Physical Broadcast CHannel）は、１つの同期信号ブロック（Synchronization Signal Block、以下、ＳＳ  ｂｌｏｃｋという）内で送信される。このとき、この１つのＳＳ  ｂｌｏｃｋ内で他の信号を多重化することは、排除されるものではない。（Multiplexing other signals are not precluded within a ‘SS block’）
【０１５１】
１つ又は複数のＳＳ  ｂｌｏｃｋは、１つのＳＳバーストを構成する。このとき、１つのＳＳバースト内に含まれるＳＳ  ｂｌｏｃｋは、連続又は不連続である。また、１つのＳＳバースト内に含まれるＳＳ  ｂｌｏｃｋは、互いに同一であるか又は同一ではない。
【０１５２】
１つ又は複数のＳＳバーストは、１つのＳＳバーストセットを構成する。
【０１５３】
３．提案する実施例
【０１５４】
従来のＬＴＥシステムにおいて、ＵＥは、基地局と通信する過程において、（例えば、サービング基地局に対する下りリンクチャネル品質の低下、ＵＥが基地局との時間周波数同期を読み取るなどの）ある理由によって、基地局との通信が不可能であると判断された場合、無線リンク失敗（Radio link failure）状態であると判断して、無線リンクに対する復旧作業を行うように定義される。ＬＴＥ標準では、この無線リンク失敗状態をＲＬＭのためのＯＵＴ−ＯＦ−ＳＹＮＣ状態であると定義する。よって、本発明では、物理層（physical layer）領域で無線リンク失敗と表現することは、ＵＥがＯＵＴ−ＯＦ−ＳＹＮＣ状態であると判断することを意味する。
【０１５５】
従来のＬＴＥシステムでは、ＰＤＣＣＨ／ＰＣＦＩＣＨが無線リンクモニタリング（Radio link monitoring、以下、ＲＬＭ）のための基準チャネルとして定義され、定義された基準チャネルを介してＩｎ−ｓｙｎｃ／Ｏｕｔ−ｏｆ−ｓｙｎｃ状態を定義するための通信品質の閾値が定義される。このとき、基準チャネルとなるＰＤＣＣＨが常に送信されるものではないので、ＵＥは、ＰＤＣＣＨが送信される領域のＳＮＲ（Signal to Noise Ratio）によりＰＤＣＣＨチャネルの品質を予測し、これを閾値と比較する過程によりＲＬＭを行う。
【０１５６】
反面、本発明が適用可能なＮＲシステムでは、ＬＴＥで定義したようなＣＲＳ（即ち、ＵＥが基本的なセル情報のみを保有した場合、どの時点でも測定可能な信号）が定義されない。よって、本発明が適用可能なＮＲシステムでは、（従来のＬＴＥシステムとは異なり）サービング基地局との通信品質状態を観察し、持続的に通信状態を維持するか否かを判断するためのチャネルと、通信品質状態を表現（代表）する（representing）メトリックと、が定義される必要がある。
【０１５７】
よって、本発明では、かかる問題を解決するために、ＮＲシステムのためのＲＬＭ用の基準信号（又はチャネル）を定義し、該信号についてどのメトリックを用いてＲＬＭを行うかについて提案する。
【０１５８】
ＲＬＭ用の基準信号（又はチャネル）
【０１５９】
まず、ＲＬＭのための基準信号（又はチャネル）は、以下のようないくつかの特性を必要とする。
【０１６０】
−ブロードキャスト（放送）信号（Broadcasting signal）であり、周期的送信（Periodic transmission）の特性が必要である。
【０１６１】
−無線リンク失敗（Radio Link Failure；ＲＬＦ）に対する早い回復のために、送信周期が長すぎてはいけない。
【０１６２】
−（例えば、ＰＤＳＣＨ、ＰＤＣＣＨなどの）基準となるチャネルに対して、該当チャネルの特性を代表する（represent）ものでなければならない。
【０１６３】
−チャネル品質測定に対する分解能（解像度）（resolution）が低すぎてはいけない（例えば、1dB SNRlevel）。
【０１６４】
よって、本発明に適用可能なＮＲシステムにおいて、上記の特性を有する信号を用いるか又は設計する方法について詳しく説明する。
【０１６５】
以下の説明において、‘ビームに対する通信品質’と記載することは、ＲＬＭのために設定されたリソースに対する通信品質を意味するものと解釈される。言い換えれば、上記２つの表現は、同じ意味であると解釈できる。
【０１６６】
解決法（Solution）１．ＳＳブロックにおけるＰＢＣＨ（又はＳＳＳ）（in SS block）
【０１６７】
本発明が適用可能なＮＲシステムでは、サービング基地局（１つのセルに対するマルチ（多重）ビーム（multiple beams））の検出及びモビリティ（mobility）のサポートのための周期的なＲＳＲＰ（Reference Signal Receive Power）を測定するため、ＳＳ（Synchronization Signal）ブロックが周期的に送信される。また、高周波数帯域においてマルチビームで構成される基地局システムでも、ＳＳ  ｂｌｏｃｋは、データチャネルのために基地局と端末との間に形成されるアンテナビーム又はアンテナビームグループごとに送信されるように設計される。
【０１６８】
よって、本発明では、ＳＳ  ｂｌｏｃｋの送信周期が長すぎない場合、ＵＥがＳＳ  ｂｌｏｃｋを用いてＲＬＭを行う構成を提案する。
【０１６９】
ＳＳ  ｂｌｏｃｋは、一般にＰＳＳ、ＳＳＳ及びＰＢＣＨで構成される。ここで、ＰＳＳは、基地局ごとの信号ではなく、ＳＳＳ受信のためのシステムタイミング（system timing）を得るために使用される信号であり、全ての基地局が同時に送信する１つの信号であると定義できる。
【０１７０】
よって、（好ましくは、）ＰＳＳは、基地局ごとの信号品質を測定するための信号として適合しない。したがって、ＵＥは、ＳＳ  ｂｌｏｃｋ内でＳＳＳ信号やＰＢＣＨ信号を基地局ごとの（又は基地局内のビームごとの）信号の品質を測定するための信号として使用して、ＲＬＭ測定を行うことができる。
【０１７１】
より具体的には、以下では、ＵＥがＳＳ  ｂｌｏｃｋ内のＳＳＳ又はＰＢＣＨ（ＰＢＣＨのＤＭ−ＲＳ）についてどの情報を用いてＲＬＭを行うかについて詳しく説明する。
【０１７２】
（１）ＳＳブロック帯域幅にわたった平均ＳＮＲ（Average SNR）（ＣＳＩ）（over SS block bandwidth）：ＳＳＳ＆ＰＢＣＨ
【０１７３】
通信システムにおいては、信号の品質を表す最も基本的な指標として、信号対雑音比（ＳＮＲ）情報が活用される。よって、ＵＥは、ＳＳ  ｂｌｏｃｋ内のＳＳＳ又はＰＢＣＨに対するＳＮＲを測定して、ＳＳ  ｂｌｏｃｋ帯域幅の全領域又は（定義した信号がＳＳ  ｂｌｏｃｋ内の一部帯域のみを占める場合）部分領域に対する平均ＳＮＲを測定してＲＬＭを行うことができる。この場合、本発明が適用可能なＮＲシステムで活用されるＯＦＤＭの特性上、副搬送波ごとにＳＮＲが変化することができるので、該当測定値に対する平均を求めるための適切な方法として、ＣＳＩ形態での測定方法により（例えば、ＰＤＣＣＨ又はＰＤＳＣＨなどの）基準チャネルに対するｅｆｆｅｃｔｉｖｅ  ＳＮＲ（有効なＳＮＲ）を得、これをＢＬＥＲにマッピングする方法が適用されることができる。
【０１７４】
ＲＬＭのための基準チャネルがデータチャネル（ＰＤＳＣＨ）又はＰＤＣＣＨなどで定義され、これに対する品質を測定するためのチャネルとしてＳＳ  ｂｌｏｃｋが使用される場合、基準チャネルと測定チャネルとの送信方法が異なることができる。一例として、ＰＢＣＨは、単一ポートの送信である反面、ＰＤＣＣＨは、ＳＦＢＣ（Space Frequency Block Coding）送信であり、ＰＤＳＣＨ、ＰＢＣＫ、ＰＤＣＣＨなどに適用されるプリコーディングの方法が異なることができる。このとき、上記のような相違点に基づいて適切な変換方法が活用される。
【０１７５】
ＵＥは、これらの差（違い）（differences）について、自体で（autonomously）補償するか又は基地局からこの補償のためのオフセット情報が伝達される。
【０１７６】
また、基準チャネルと性能測定チャネルとが同じ送信タイプで送信されても、両チャネルの送信電力などが異なることができる。かかる環境である場合、送信方法の差やチャネルごとの送信電力などに関する情報は、基地局が、ＵＥに、ＲＲＣシグナリングなどにより知らせることができる。ここで、送信電力とは、ビームフォーミングによるビーム利得の差も含む。
【０１７７】
以下の説明において、特に言及しない限り、ＵＥは、通信品質を測定するためのチャネルが存在する（時間周波数）リソースで信号電力（signal power）及び雑音電力（noise power）を測定し、これらを用いて基準チャネルのチャネル品質を表現するｅｆｆｅｃｔｉｖｅ  ＳＮＲ（又はＳＩＮＲ）を測定すると仮定する。
【０１７８】
但し、ＬＴＥ  ｅＩＣＩＣ（enhanced Inter Cell Interference Coordination）システムのように、干渉コーディネーション（調整）（interference coordination）が使用される環境やＣｏＭＰ（Coordinated Multi Point）のように多様な方向から干渉が発生する場合は、ＵＥのＳＮＲ測定段階で雑音電力に該当する値の変動（fluctuation）が非常に大きいか、或いは該当システムが基地局の干渉に対する制御により運用されるので、ＵＥのＲＬＭのために特定の時間リソースの雑音及び干渉に関する情報が必要である。このとき、基地局は、ＲＬＭ測定のための雑音電力の測定のための物理リソースに関する情報を、ＵＥにＲＲＣシグナリングなどにより知らせることができ、ＵＥは、基地局が伝達した物理リソースに関する情報を、ＲＬＭのためのＳＮＲ測定に用いることができる。さらに、基地局がＲＬＭ測定のための雑音電力の測定のための物理リソースについてＵＥに別に設定しない場合、ＵＥは、適切なリソースを選択してＲＬＭのためのＳＮＲ測定に用いることができる。
【０１７９】
（２）ＰＢＣＨメッセージエラーレート（率）（message error rate）
【０１８０】
ＳＳＳとは異なり、ＰＢＣＨは、受信したメッセージが正しく受信されたか否かを確認するためのＣＲＣ（Cyclic Redundancy Check）が付着されて送信される。よって、ＵＥは、受信したＰＢＣＨのＣＲＣチェックによりＰＢＣＨメッセージエラーレート（message error rate）に関する情報を、ＲＬＭのためのチャネル品質測定として用いることができる。このとき、ＰＢＣＨメッセージエラーレートに関する精度を確保するための時間がＲＬ回復として使用するには長すぎると判断されると、ＵＥは、ＰＢＣＨの連続するＣＲＣエラー数をこれに相応（対応）する（corresponding）情報として使用することができる。
【０１８１】
ＰＢＣＨは、セルカバレッジの確保のために、同じシステム情報について長い時間の間に複数回に分けて送信されることができる。よって、ＵＥは、該当信号を組み合わせ（combining）てＰＢＣＨを受信することができる。このとき、ＲＬＭのためのメッセージエラーレートの送信は、必要によって上記信号の組み合わせ前又は組み合わせ後と定義されることができる。
【０１８２】
（３）ＰＢＣＨ（又はＳＳＳ（or SSS）、ＰＢＣＨ  ＤＭ−ＲＳ）ビットエラーレート
【０１８３】
ＰＢＣＨメッセージエラーレート（message error rate）において、ＣＲＣに対する誤警報（false alarm）の確率が非常に低いので、チャネル品質の測定に対するエラーが非常に低い。但し、高い分解能（解消度）（resolution）の精度を要求する場合、ＵＥが長い間測定して判断しなければならないという問題があり得る。
【０１８４】
これを補完する方法として、ＵＥは、ＰＢＣＨに対するビットエラーレート（bit error rate）を使用することができる。一般に、参照信号のような場合、シーケンスが予め知られているので、ＵＥは、ＢＥＲ（Bit Error Rate）を測定することができる。但し、データチャネルのように情報が予め知られていない場合は、ＵＥがデータチャネルなどについてＢＥＲを測定することは容易ではない。
【０１８５】
但し、ＰＢＣＨの場合、ＵＥは、セル獲得（cell acquisition）過程でＰＢＣＨを受信し、一度ＰＢＣＨが受信された場合、ＵＥは、ＳＦＮ（Super Frame Number）のように毎回アップデートされる情報について予め予測可能である。よって、ＵＥは、ＰＢＣＨメッセージ情報についてエンコーディングを行い、これを用いて（coded-）ビットエラーレート（又は相応する情報としてＰＢＣＨ変調シンボル（BCH modulation symbol）に対するシンボルエラーレート）を測定して、これを用いてＲＬＭを行うことができる。このとき、メッセージエラーレートを用いる方法について言及したように、ＰＢＣＨが複数回に分けて送信される場合、メッセージエラーレートは、ＰＢＣＨ信号の組み合わせ前又は組み合わせ後と定義されることができる。
【０１８６】
又は、状況によってＰＢＣＨに対するエンコーディング及びＢＥＲ測定の複雑度が高すぎると判断されることができる。よって、ＵＥは、上述した情報と類似する情報として、ＰＢＣＨ受信のために使用されるＰＢＣＨ  ＤＭ−ＲＳやＳＳＳに対するビットエラーレートを活用することもできる。
【０１８７】
ＰＢＣＨ（又はＳＳＳ、ＰＢＣＨ  ＤＭ−ＲＳ）ビットエラーレートの測定時、ＵＥは、干渉信号に対するランダム化（randomization）のためにスクランブル（scrambling）や符号拡散（code spreading）を用いることができる。この場合、ＵＥは、デスクランブル（descrambling）又はコード逆拡散（code despreading）の後にビットエラーレートを測定することにより、測定の精度を高めることができる。
【０１８８】
解決法（Solution）２：ＰＤＣＣＨ共通サーチスペース（Common Search Space）（ＣＳＳ）にＲＬＭ用のＤＣＩ（又はＤＭ−ＲＳ）を定義し、周期的に送信
【０１８９】
上述したＰＢＣＨの場合、システム又は標準の設定によっては、ＲＬＭとして使用するには周期が長すぎることがある。周期が長すぎる場合、ＲＬＦの発生時に回復まで長い時間がかかり、これによりユーザサービスの切断（切れ）（user service disconnection）が発生することができる。よって、ＳＳ  ｂｌｏｃｋに比べて短い周期を有する周期信号が定義され、ＵＥは、周期信号を用いてＲＬＭを行う必要がある。
【０１９０】
よって、以下では、ＰＤＣＣＨ内のＲＬＭ用の信号（又はチャネル）を定義し、これを用いたＲＬＭメトリックを定義する方法を提案する。特に、マルチビームを使用する基地局の場合、ビームごとにＲＬＭ用信号が定義されることができる。
【０１９１】
（１）ＲＬＭ用のＤＣＩ送信（transmission）
【０１９２】
全てのユーザが受信可能な形態のＲＬＭ用のＤＣＩが定義される。このとき、全てのユーザが受信可能であるよう共通サーチスペース（検索領域）（common search space）内でＲＬＭ−ＤＣＩが送信される。ＲＬＭ−ＤＣＩとしては、（ａ）ランダム（任意の）（random）情報、及び／又は（ｂ）周期的に送信されてシステム情報を伝達するための情報が含まれる。
【０１９３】
上述した（ｂ）の場合、既存で周期的なシステム情報伝達のために必要なＤＣＩがＲＬＭ−ＤＣＩと定義され、ＵＥは、該当ＤＣＩの検出率（detection rate）（又は誤り率（missing rate））を定義し、これを用いてＲＬＭを行うことができる。このとき、該当ＤＣＩにより送信した情報は、ＵＥに予め知られた情報ではないので、ＵＥは、受信した信号についてエラー訂正及びＣＲＣ検出過程を行い、ＣＲＣ検出の結果がエラー訂正により検出した信号にエラーがないことを示すと、最終的に検出された信号を基地局が送信した情報と判断する。次いで、ＵＥは、この信号を用いて、エラー訂正前の信号にどのくらい多くのエラーが存在するかを示すＢＥＲを測定することができる。即ち、ＵＥは、エラー訂正後の信号に対するＣＲＣ検出結果が‘良好（good）’であるパケットについて測定したＢＥＲも、ＲＬＭのための追加情報として使用することができる。
【０１９４】
上述した（ａ）の場合、ＵＥは、ランダム情報について、端末と基地局との間で互いに知られている情報を使用して、全てのメッセージについてのＣＲＣ結果及びＢＥＲ情報を集めてＲＬＭを行うことができる。
【０１９５】
上述した（ａ）及び（ｂ）の両方について、ＵＥは、ＲＬＭ−ＤＣＩのために送信されるＤＭ−ＲＳの副搬送波ごとのＳＮＲを測定し、測定値を（ＰＢＣＨ  ＤＭ−ＲＳについて適用した方式と同様に）平均チャネル品質情報に変換してＲＬＭを行う。
【０１９６】
これについて、ＵＥは、基地局から、ＳＳ  ｂｌｏｃｋに関するＳＮＲ情報を生成するために伝達される情報（例えば、チャネル間の送信方法に関する情報、チャネル間の送信方法の差に関するＳＮＲオフセット情報、チャネル間の送信電力に関する情報、干渉信号測定のための時間周波数リソース制限情報など）を受信することができる。ここで、送信電力とは、ビームフォーミングによるビーム利得の差も含む。
【０１９７】
（２）ＲＬＭ用のＣＳＳ内ダミー（Dummy）（或いは、共通（common））ＤＭ−ＲＳ
【０１９８】
上述の（１）にて言及したＲＬＭ−ＤＣＩの送信は、セル内のＵＥの数が非常に多いと、以下のような問題が発生する。
【０１９９】
１＞ＲＬＭ−ＤＣＩを優先して送る場合、ＣＳＳ内でＤＣＩを割り当てるリソースが足りない。
【０２００】
２＞ＣＳＳに送信すべきＤＣＩを優先して送信する場合、ＲＬＭ−ＤＣＩ送信を放棄しなければならない。
【０２０１】
このような問題を解決するために、基地局は、ＤＣＩ送信を行わず、ダミー（Dummy）ＤＭ−ＲＳのみを送信することができる。このとき、ダミーＤＭ−ＲＳは、既存のＣＳＳ内のＤＣＩとＲＥレベルで衝突することができる。よって、ＣＳＳ内のＤＣＩのＤＭ−ＲＳと衝突しないように割り当てられると、ＵＥは、ダミーＤＭ−ＲＳを無視してＤＣＩの受信を行うことができる。このとき、全てのＵＥに、ダミーＤＭ−ＲＳに関するリソース関連情報は、基地局により提供されることもできる。
【０２０２】
同様に、ＣＳＳ内でＤＣＩを受信するためのＤＭ−ＲＳを多数（複数）の（multiple）ユーザが共通に受信できるＲＳ構造を定義することができる。この場合、基地局は、送信するＤＣＩがなくてもＣＳＳ内のＤＣＩに対する共通（common）ＤＭ−ＲＳを常に送信し、ＵＥは、自体が受信を試みるＣＳＳ内の共通ＤＭ−ＲＳの受信品質を測定して、該当測定値をＲＬＭ用として用いることができる。このために、基地局は、ＤＣＩが存在しなくてもＣＳＳ内に定義される共通ＤＭ−ＲＳがどの周期で送信されるかに関する情報をＵＥに知らせることができる。
【０２０３】
（３）ＤＣＩを用いた通信品質測定
【０２０４】
上述したように、通信システムにおいて信号の品質を示す最も基本的な指標として、信号対雑音比（ＳＮＲ）情報が活用される。よって、ＵＥは、ＳＳ  ｂｌｏｃｋ内のＳＳＳ又はＰＢＣＨに対するＳＮＲを測定して、ＳＳ  ｂｌｏｃｋ帯域幅の全領域又は（定義した信号がＳＳ  ｂｌｏｃｋ内の一部の帯域のみを占める場合）部分領域に対する平均ＳＮＲを測定してＲＬＭを行うことができる。この場合、本発明が適用可能なＮＲシステムで活用されるＯＦＤＭの特性上、副搬送波ごとにＳＮＲが変化することができるので、該当測定値について平均を求めるための適切な方法として、ＣＳＩ形態での測定方法により（例えば、ＰＤＣＣＨ又はＰＤＳＣＨなどの）基準チャネルに対するｅｆｆｅｃｔｉｖｅ  ＳＮＲを得、これをＢＬＥＲにマッピングする方法が適用されることができる。
【０２０５】
また、ＲＬＭのための基準チャネルがデータチャネル（ＰＤＳＣＨ）又は制御チャネル（ＰＤＣＣＨ）などと定義され、これに対する品質を測定するためのチャネルとしてダミーＤＣＩ又はＲＬＭ用のＤＣＩが使用される場合、基準チャネルと測定チャネルとの送信方法が異なることができる。一例として、ＰＢＣＨは、単一のポート送信である反面、ＰＤＣＣＨは、ＳＦＢＣ（Space Frequency Block Coding）送信であり、ＰＤＳＣＨ、ＰＢＣＫ、ＰＤＣＣＨなどに適用されるプリコーディングの方法が異なることができる。このとき、上記のような相違点に基づいて適切な変換方法が活用される。
【０２０６】
ＵＥは、この差について自体で補償するか、又は基地局から上記補償のためのオフセット情報が伝達される。
【０２０７】
また、基準チャネルと性能測定チャネルとが同じ送信タイプで送信されても、両チャネルの送信電力などは、異なることができる。かかる環境である場合、送信方法の差やチャネルごとの送信電力などに関する情報は、基地局がＵＥにＲＲＣシグナリングなどにより知らせることができる。ここで、送信電力とは、ビームフォーミングによるビーム利得の差も含む。
【０２０８】
（４）多数のチャネルを使用する場合
【０２０９】
上述したように、ＳＳ  ｂｌｏｃｋの送信周期が間欠的な場合（又は送信周期が長すぎる場合）、ＵＥは、ＲＬＭ用のＤＣＩ（又はＤＭ−ＲＳ）を用いるように設定される。このとき、ＲＬＭのための測定チャネルとしてＳＳ  ｂｌｏｃｋ及びＲＬＭ用のＤＣＩが共に使用されることができる。
【０２１０】
このとき、多数のチャネルがＲＬＭに活用される場合、基地局は、ＳＳ  ｂｌｏｃｋ及びＲＬＭ用のＤＣＩのうち、どのチャネルを使用するかがＲＲＣシグナリングにより指定される。
【０２１１】
又は、ＵＥは、ＳＳ  ｂｌｏｃｋを基本的なＲＬＭのためのチャネルとして使用し、ＲＬＭ用のＤＣＩ（又はＤＭ−ＲＳ）関連リソース情報が提供されると、ＲＬＭのためのチャネルとして、ＲＬＭ用のＤＣＩ（又はＤＭ−ＲＳ）を使用することができる。言い換えれば、ＲＬＭ用のＤＣＩ関連リソース情報が有効でない場合、ＵＥは、ＳＳ  ｂｌｏｃｋを用いてＲＬＭを行うことができる。
【０２１２】
変形例として、ＵＥは、具現段階で上記２つの情報を同時に適切に活用することもできる。
【０２１３】
解決法（Solution）３：ＲＬＭ用のＣＳＩ−ＲＳを定義して周期的又は非周期的に送信
【０２１４】
上述したように、ＳＳ  ｂｌｏｃｋの送信周期が長すぎてＲＬＭ用チャネルへの活用が難しいこともある。
【０２１５】
よって、ここでは、ＲＬＭのための（基地局ごと又はビームごとの）ＣＳＩ−ＲＳ（以降、ＲＬＭ−ＣＳＩ−ＲＳともいう）を定義する構成について詳しく説明する。このとき、基地局は、ＲＬＭのためのＣＳＩ−ＲＳをＲＬＭの特性に合わせて適切な送信周期で周期的に送信することができる。又は、基地局は、ＲＬＭの特性に合う送信周期を維持し、（基地局スケジューリングの自由度のために）基地局の制御下でＲＬＭ−ＣＳＩ−ＲＳを非周期的に送信することもできる。
【０２１６】
（１）ＲＬＭ−ＣＳＩ−ＲＳリソースのリソース割り当て
【０２１７】
ＲＬＦは、ＵＥが現在通信している基地局と定常的な（通常の）（normal）通信を行うことができないことを意味する。よって、基地局が多数の（マルチ）ビームを用いる場合、全てのビームについてＲＬＭ−ＣＳＩ−ＲＳリソースが割り当てられる必要がある。
【０２１８】
ＲＬＭは、ＵＥが基地局と通信を行った後に通信品質状態を点検する過程であるので、ＵＥと基地局とが接続設定（connection setup）をやり取りする過程で、基地局は、（基本的に）ＵＥにＲＬＭ−ＣＳＩ−ＲＳのリソース割り当て情報を知らせることができる。
【０２１９】
但し、接続設定過程で全てのＵＥにＲＬＭ−ＣＳＩ−ＲＳのリソース割り当て情報を知らせる過程により大きなオーバーヘッドが生じると判断される場合は、基地局は、ブロードキャスト形態で該当情報を知らせることもできる。
【０２２０】
さらに上述したように、ＲＬＭ−ＣＳＩ−ＲＳは、多数のビーム方向に送信されることができる。よって、ＲＬＭ−ＣＳＩ−ＲＳは、ビーム管理（Beam management）のためのＣＳＩ−ＲＳと同じ特性を有することができる。したがって、ＲＬＭ−ＣＳＩ−ＲＳは、同じ特性を必要とするＢＭ−ＣＳＩ−ＲＳと同じリソースを共有することができる。よって、ＵＥにＢＭ  ＣＳＩ−ＲＳが設定される場合、ＵＥは、別の設定なしで該当設定情報をＲＬＭ−ＣＳＩ−ＲＳに対する設定情報として活用することができる。
【０２２１】
また、マルチビームを使用する基地局は、ビームごとにＲＬＭ−ＣＳＩ−ＲＳを割り当てる。このとき、ＲＬＭ−ＣＳＩ−ＲＳは、その信号自体としては獲得（acquisition）及び同期（synchronization）機能がないこともある。但し、ＲＬＭ−ＣＳＩ−ＲＳは、性能の基準のために決められたチャネルの性能に対する代表性（representativeness）を有する（性能を代表する、性能を表現する）必要があるので、リソース割り当て過程でビームごとの同期信号（例えば、上述したＳＳ  ｂｌｏｃｋがこれに該当する）又はＲＬＦを判断するための基準チャネル（例えば、Ｕ−ＳＳ（User Specific Search Space）により送信されるＰＤＣＣＨなどのチャネル）との連結（リンク）情報（link information）を知らせることができる。また、ＲＬＭ−ＣＳＩ−ＲＳは、２つ以上のチャネルの連結関係について知らせることもできる。
【０２２２】
このとき、ＵＥが上記のような情報を用いてＳＳ  ｂｌｏｃｋによりビーム獲得（beam acquisition）を行った場合、ＵＥは、該当ＳＳ  ｂｌｏｃｋに接続されたＲＬＭ−ＣＳＩ−ＲＳ又はＲＬＭ−ＣＳＩ−ＲＳセットを用いた通信品質を測定することができる。
【０２２３】
さらに、ＵＥがＳＳ  ｂｌｏｃｋを受信できない場合、ＵＥは、追加の測定過程なしで該当ビーム又は該当ビームセットに対する通信品質が通信が不可能な状態（例えば、該当基地局が提供するか若しくは予め定義された閾値（threshold）又はこれに準ずる状態）であると判断することができる。このとき、ＵＥは、該当ビーム及びビームセットに対する品質が予め決められた閾値以下の品質を示すことをＲＬＭ制御装置又は上位層に報告することができる。
【０２２４】
ＲＬＭ−ＣＳＩ−ＲＳは、全方向ビームに対して送信されることができる。このとき、ＲＬＭ−ＣＳＩ−ＲＳが上述した連結関係に設定されたチャネル（例えば、ＲＬＭ−ＣＳＩ−ＲＳとＱＣＬ（Quasi Co-Located）設定されたＳＳ  ｂｌｏｃｋ）に比べて狭いビーム（narrow beam）で送信される場合、多数（複数）のＲＬＭ−ＣＳＩ−ＲＳが、１つのチャネルと連結関係を有して設定される。このように設定された多数のＲＬＭ−ＣＳＩ−ＲＳが全て集まって、基地局がカバーする全てのビーム方向に送信されることができる。
【０２２５】
但し、リソースの浪費が多いか又はＵＥの複雑度が大きいと判断される場合、ＲＬＭ−ＣＳＩ−ＲＳは、一部のビーム方向のみをサポートすることができる。言い換えれば、ＵＥは、一部のビーム方向については、ＲＬＭ−ＣＳＩ−ＲＳを用いてチャネル品質を測定し、残りのビーム方向については、ＲＬＭ−ＣＳＩ−ＲＳと連結関係に設定されたチャネルを用いてチャネル品質を測定し、その測定値を用いてＲＬＭのための情報として用いることができる。
【０２２６】
一方、ＲＬＭ−ＣＳＩ−ＲＳが連結関係に設定されたチャネルと類似のビーム幅（beam width）で送信されるか又はＵＥの複雑度が大きすぎると判断される場合、ビーム当たり１つのＲＬＭ−ＣＳＩ−ＲＳのみが定義されることもできる。かかる場合にも、上述したように、ＲＬＭ−ＣＳＩ−ＲＳは、一部のビーム方向のみをサポートすることができる。言い換えれば、ＵＥは、一部のビーム方向については、ＲＬＭ−ＣＳＩ−ＲＳを用いてチャネル品質を測定し、残りのビーム方向については、ＲＬＭ−ＣＳＩ−ＲＳと連結関係に設定されるチャネルを用いてチャネル品質を測定し、その測定値を用いてＲＬＭのための情報として用いることができる。
【０２２７】
（２）ＲＬＭ−ＣＳＩ−ＲＳの送信方法
【０２２８】
ＲＬＭの特性上、ＲＬＭ−ＣＳＩ−ＲＳは、時間軸上で周期的に送信される。この場合、ＲＬＭ−ＣＳＩ−ＲＳのリソース割り当て過程で、基地局は、ＲＬＭ−ＣＳＩ−ＲＳの送信周期及び送信時点をＵＥに知らせ、これに対応して、ＵＥは、送信時点に合わせて通信の品質状態を測定することができる。
【０２２９】
但し、マルチビームを使用する基地局の場合、基地局は、全てのビームごとにＲＬＭ−ＣＳＩ−ＲＳを送信する必要があり、特に、アナログビームを使用する場合、同時にＲＬＭ−ＣＳＩ−ＲＳを多数のビームに対して送信することが不可能になることができる。
【０２３０】
このとき、ＲＬＭ−ＣＳＩ−ＲＳを送信するシンボルについては、他の方向への送信が不可能になるので、基地局が動的なスケジューリング（dynamic scheduling）において該当スケジューリングを自由に行えない問題があり得る。
【０２３１】
したがって、基地局が非周期的にＲＬＭ  ＳＩ−ＲＳの送信を行う必要があり得る。このために、基地局は、送信時点ごと又は送信の一定時間前に、ＲＬＭ−ＣＳＩ−ＲＳが割り当てられることをＵＥに知らせる必要がある。
【０２３２】
又は、基地局は、ＵＥに、データの送受信情報を知らせる時点でＤＣＩにより非周期的にＣＳＩ−ＲＳ送信を知らせることもできる。但し、かかる構成は、データの送受信時点の頻度が低いと、ＲＬＭの特性を満たせない問題がある。
【０２３３】
よって、ＲＬＭ−ＣＳＩ−ＲＳの送信のみを知らせるためのＤＣＩが新しく定義される必要があり、基地局は、このＤＣＩにより、ＲＬＭ−ＣＳＩ−ＲＳの送信を知らせることができる。このとき、ＲＬＭ−ＣＳＩ−ＲＳは、多数のユーザが共通に使用するリソースであることができるので、ＲＬＭ−ＣＳＩ−ＲＳの送信の有無を知らせるＤＣＩ（又はＤＣＩを読み取るための共通ＲＮＴＩ情報）は、ＵＥ固有（特定）（UE-specifically）だけではなく、ビーム固有（特定）（又はＵＥ−ｇｒｏｕｐ−ｓｐｅｃｉｆｉｃ（ＵＥグループ固有））に設定されることができる。この場合、ＵＥは、ＲＬＭ−ＣＳＩ−ＲＳを知らせるＤＣＩを受信した後、ＤＣＩにより送信される情報を用いて（例えば、マルチビームの場合、どのビームで送信されるか、ＤＣＩ受信時点後、どのスロット又はシンボルで送信されるか、又は多数のリソースが存在する場合、どのリソースにより送信されるかに関する情報を用いて）ＲＬＭを行うことができる。
【０２３４】
（３）ＲＬＭ−ＣＳＩ−ＲＳを用いた通信品質測定
【０２３５】
上述したように、通信システムにおいては、信号の品質を示す最も基本的な指標として、信号対雑音比（ＳＮＲ）情報が活用される。よって、ＵＥは、ＳＳ  ｂｌｏｃｋ内のＳＳＳ又はＰＢＣＨに対するＳＮＲを測定して、ＳＳ  ｂｌｏｃｋ帯域幅の全領域又は（定義した信号がＳＳ  ｂｌｏｃｋ内の一部の帯域のみを占める場合）部分領域に対する平均ＳＮＲを測定してＲＬＭを行うことができる。この場合、本発明が適用可能なＮＲシステムで活用されるＯＦＤＭの特性上、副搬送波ごとにＳＮＲが変化することができるので、該当の測定値に対する平均を求めるための適切な方法として、ＣＳＩ形態での測定方法により基準チャネル（例えば、ＰＤＣＣＨ又はＰＤＳＣＨ）に対するｅｆｆｅｃｔｉｖｅ  ＳＮＲを得、これをＢＬＥＲにマッピングする方法が適用されることができる。
【０２３６】
また、ＲＬＭのための基準チャネルがデータチャネル（ＰＤＳＣＨ）又は制御チャネル（ＰＤＣＣＨ）などで定義され、これに対する品質を測定するためのチャネルとしてダミーＤＣＩ又はＲＬＭ用のＤＣＩが使用される場合、基準チャネルと測定チャネルとの送信方法が異なることができる。一例として、ＰＢＣＨは、単一ポートの送信である反面、ＰＤＣＣＨは、ＳＦＢＣ（Space Frequency Block Coding）送信であり、ＰＤＳＣＨ、ＰＢＣＫ、ＰＤＣＣＨなどに適用されるプリコーディングの方法が異なることができる。このとき、上記のような相違点に基づいて適切な変換方法が活用される。
【０２３７】
ＵＥは、これらの差について、自体で補償するか又は基地局からこの補償のためのオフセット情報が伝達される。
【０２３８】
また、基準チャネルと性能測定チャネルとが同じ送信タイプで送信されても、両チャネルの送信電力などは、異なることができる。かかる環境である場合、送信方法の差やチャネルごとの送信電力などに関する情報は、基地局がＵＥにＲＲＣシグナリングなどにより知らせることができる。ここで、送信電力とは、ビームフォーミングによるビーム利得の差も含む。
【０２３９】
（４）ＲＬＭのための干渉及び雑音パワー（電力）（noise power）の測定
【０２４０】
１）ＩＭ−ＣＳＩ−ＲＳを用いた雑音及び干渉のパワー測定
【０２４１】
以下の説明において、特に言及しない限り、ＵＥは、通信品質を測定するためのチャネルが存在する（時間周波数）リソースで信号電力（signal power）及び雑音電力（noise power）を測定し、これを用いてＳＮＲを測定すると仮定する。
【０２４２】
但し、ＬＴＥ  ｅＩＣＩＣ（enhanced Inter Cell Interference Coordination）システムでのように、干渉コーディネーション（interference coordination）が使用される環境や、ＣｏＭＰ（Coordinated Multi Point）のように多様な方向から干渉が発生する場合、ＵＥのＳＮＲ測定段階で雑音電力に該当する値の変動（fluctuation）が非常に大きいか、又は該当システムが基地局の干渉に対する制御により運用されるので、ＵＥのＲＬＭのために特定の時間リソースの雑音及び干渉に関する情報が必要である。このとき、基地局は、ＲＬＭ測定のための雑音電力測定のための物理リソースに関する情報を、ＵＥにＲＲＣシグナリングなどにより知らせることができ、ＵＥは、基地局が伝達した物理リソースに関する情報を用いて、ＲＬＭのためのＳＮＲ測定に用いることができる。
【０２４３】
ＲＬＭ−ＣＳＩ−ＲＳの場合、ＲＬＭ−ＣＳＩ−ＲＳリソース割り当て過程で、基地局は、雑音電力（noise power）の測定のためのＲＬＭ−ＣＳＩ−ＲＳ（以後、ＲＬＭ−ＩＭ−ＣＳＩ−ＲＳという）について、別のリソース割り当て情報をＵＥに提供することができる。マルチビームシナリオの場合、ＲＬＭ−ＩＭ−ＣＳＩ−ＲＳは、ビームごとにリソースが割り当てられるが、リソースの効率的な使用のために、多数のビームに対するＲＬＭ−ＩＭ−ＣＳＩ−ＲＳが共通のリソースとして割り当てられることもできる。
【０２４４】
２）ＣＯＲＥＳＥＴ内のリソースを用いた雑音及び干渉パワーの測定
【０２４５】
本発明が適用可能なＮＲシステムでは、ＰＤＣＣＨ送信のための多数のＰＲＢ集合をＣＯＲＥＳＥＴと呼ぶ。このとき、基地局は、ＵＥに多数（複数）のＣＯＲＥＳＥＴを割り当てることができる。以下の説明において、ＰＤＣＣＨ送信リソース又はＣＯＲＥＳＥＴは、ＰＤＣＣＨを送信する時間周波数リソースを意味する。
【０２４６】
上述した構成において、隣接セル又はＴＲＰから送信される干渉又は雑音が主な干渉である環境において、ＵＥは、Ｚｅｒｏ  ｐｏｗｅｒと定義されるＩＭ−ＣＳＩ−ＲＳを用いて雑音のパワーを測定することができる。但し、ＩＭ−ＣＳＩ−ＲＳは、データ又は制御チャネルのために使用可能なリソースを干渉を測定するための用途として使用するので、ＵＥが他のリソースを用いて干渉を測定できる場合、リソースの使用効率を高めることができる。よって、ここでは、ＵＥがＰＤＣＣＨ送信のために割り当てられたリソースで直接干渉や雑音のパワーを測定する方法について詳しく説明する。
【０２４７】
本発明が適用可能なＮＲシステムでは、ＲＬＭのための基準チャネルとしてＰＤＣＣＨが定義される。
【０２４８】
一般に、ＵＥは、基地局との現在の通信リンクを維持するために、基本的なデータのやり取りが可能である必要がある。このために、ＵＥの立場では、データパケットのスケジューリング情報を伝達するＰＤＣＣＨの受信が必須である。
【０２４９】
よって、ＵＥは、所定のＰＤＣＣＨを受けることができるか否かを性能測定の基準点とし、性能測定のために定義されたチャネル又は信号を用いて測定された品質を上記の基準点と比較する。
【０２５０】
また、かかる理由で、性能測定チャネルは、ＰＤＣＣＨの性能を代表することが好ましく、このために、基地局は、ＵＥがＰＤＣＣＨ領域の雑音又は干渉の量を直接測定するようにリソースを割り当てることができる。
【０２５１】
したがって、基地局は、ＲＬＭ−ＩＭ−ＣＳＩ−ＲＳをＰＤＣＣＨ送信のためのリソースに割り当てることが好ましい。
【０２５２】
但し、上述したように、ＲＬＭ−ＩＭ−ＣＳＩ−ＲＳは、更なるリソースを必要とするので、ＵＥがＲＬＭ−ＩＭ−ＣＳＩ−ＲＳを用いずに雑音や干渉の量を測定することができれば、リソース利用の側面でより効率的である。
【０２５３】
このための方法として、まず、ＵＥは、既に送信パターンが知られているチャネル推定用のＤＭ−ＲＳを用いて干渉及び雑音を抑制するようにチャネルを推定し、ＤＭ−ＲＳが送信されたリソースにより受信した信号から推定したチャネルを用いて、ＰＤＣＣＨ  ＤＭ−ＲＳに該当する信号を除去し、残りの信号を雑音や干渉信号と見なしてこれに対する量を測定することにより所望の測定値を得ることができる。このとき、ＵＥは、ＰＤＣＣＨが送信されたか否か（正確な意味では、ＰＤＣＣＨの受信を助ける（支援する）（assisting）ためのＣＯＲＥＳＥＴ内のＤＭ−ＲＳが送信されたか否か）に対する判断を共に行うことができる。
【０２５４】
かかる方法において、ＵＥは、ＰＤＣＣＨ送信のためのＣＯＲＥＳＥＴに関する情報及びＤＭ−ＲＳ送信に関連する情報を必要とするが、これらの情報は、ＵＥが基地局とのセル設定（call setup）過程で得ることができる。
【０２５５】
特に、ＵＥは、自体にＰＤＣＣＨが送信されなくてもＤＭ−ＲＳを用いてチャネル推定及び干渉＆雑音の量を推定しなければならないので、ＰＤＣＣＨ  ＤＭ−ＲＳが送信される位置及びシーケンスについて正確な情報を得る必要がある。よって、基地局は、ＵＥに、全スロットのうちのどのスロットが端末と基地局とが約束したシーケンスを有するＤＭ−ＲＳによって送信されるかに関する情報を伝達し、これに対する規則に合わせてＤＭ−ＲＳを送信することができる。
【０２５６】
基地局は、ＰＤＣＣＨ送信のためにＣＯＲＥＳＥＴリソースを予約し、該当リソースによりＰＤＣＣＨを送信することができる。但し、このような動作がＣＯＲＥＳＥＴで約束されたリソースは、ＰＤＣＣＨのみのために使用されることを意味するものではない。即ち、１つのスロットについてスロット内の一部のＯＦＤＭシンボルがＣＯＲＥＳＥＴと定義されても、必要によって、ＣＯＲＥＳＥＴリソースが隣接リソースと共に（連接して）（together with）データ送信のために活用されるか、又は緊急なデータの送信のためにＰＤＳＣＨで使用することができる。又は、上りリンクの送信に対する必要性が高まる場合は、ＣＯＲＥＳＥＴのためのＯＦＤＭシンボルを含むリソースを、上りリンクスロットとして専用に使用することもできる。
【０２５７】
かかる場合、ＵＥが上記事項に関する情報がない場合（又は分からない場合）、ＵＥは、ＣＯＲＥＳＥＴリソースで送信されたと仮定されるＤＭ−ＲＳを用いてチャネル推定を行い、これにより、どの信号も送信されなかったと判断して、受信した全ての信号又はほとんどの信号を干渉又は雑音のパワーと判断することができる。このような動作は、不要な又は誤情報に該当するＯＵＴ−ＯＦ−ＳＹＮＣを発生させ、ＵＥと基地局との間の接続を再設定するという問題を引き起こす。
【０２５８】
但し、このような理由で基地局がＣＯＲＥＳＥＴと定義された全てのリソースをＰＤＣＣＨ送信のみのために使用することは、基地局のリソース利用上の自由度を下げる問題がある。
【０２５９】
よって、基地局は、ＵＥにＣＯＲＥＳＥＴリソースを割り当てる段階で、ＣＯＲＥＳＥＴの一部のリソースをＲＬＭ用の雑音及び干渉の量を測定するためのリソースとして指定することができる。このとき、上記リソースが割り当てられたＵＥに特に指示情報を知らせない場合、割り当てられたリソースは、ＰＤＳＣＨ又は上りリンクチャネル（正確な意味では、端末が雑音や干渉の量を測定できないチャネル又は信号）として使用できないように設定される。但し、ＲＬＭ用の干渉及び雑音測定用として使用できないチャネル又は信号を利用するためには、基地局は、これに関する情報をＵＥに知らせなければならない。一例として、基地局がＲＲＣ  ｃｏｎｆｉｇｕｒａｔｉｏｎによりあるリソースをＰＤＳＣＨや上りリンクとして使用しないと設定した場合、基地局は、ＤＣＩなどにより所定の規則（例えば、特定のリソースをＰＤＳＣＨや上りリンクとして使用しない）が解除されたことをＵＥに知らせる必要がある。この場合、今後（以後）、ＵＥは、ＲＬＭの測定時に該当チャネル又は信号について干渉電力を測定しないことができる。
【０２６０】
このとき、基地局がＵＥに提供するリソース割り当て情報は、以下の情報の全部又は一部を含む。
【０２６１】
−ＰＤＣＣＨが伝達されるリソースのうち、ＲＬＭ用の干渉及び雑音の測定用として使用可能なスロットを指示する情報（例えば、０〜１９番の全てのスロットについてＣＯＲＥＳＥＴが設定された場合、これらのうち、０、４、８、１２、１６番目のスロットをＲＬＭのための干渉及び雑音測定リソースとして割り当てる）
【０２６２】
−上記指定したスロット内のＣＯＲＥＳＥＴのうち、ＣＯＲＥＳＥＴが多数（複数）のＯＦＤＭシンボルで送信可能な場合、一部のＯＦＤＭシンボルは、ＲＬＭ用の干渉及び雑音測定用として使用可能であることを指示する情報。このとき、一部のＯＦＤＭシンボルは、ＤＭ−ＲＳを送信するＯＦＤＭシンボルを含む（例えば、ＣＯＲＥＳＥＴが最大３つのＯＦＤＭシンボルで構成される場合、ＰＤＣＣＨ用のＤＭ−ＲＳが送信される１番目のＯＦＤＭシンボルを、ＲＬＭのための干渉及び雑音測定リソースとして割り当てる）。
【０２６３】
−周波数リソースに関する情報。このとき、周波数リソースについて多数の（multiple）ＣＯＲＥＳＥＴが割り当てられた場合、周波数リソースに関する情報は、一部のＣＯＲＥＳＥＴを指定するか、又はＣＯＲＥＳＥＴ内で一部の周波数リソースを指定する（例えば、１０ＭＨｚが割り当てられたＵＥに５ＭＨｚで構成された２つのＣＯＲＥＳＥＴが割り当てられた場合、基地局は、１番目のＣＯＲＥＳＥＴの１番目のＯＦＤＭシンボルをＲＬＭのための干渉及び雑音測定リソースとして割り当てる）。
【０２６４】
上述した情報の場合、最適化のために基地局間でビーム方向について調整（コーディネーション）されている（coordinated）環境を考慮して、ユーザごと（又はＵＥごと）に異なるように設定される。
【０２６５】
−特定のリソースがＲＬＭ用の干渉及び雑音測定用として使用可能であるか否かに関する情報（例えば、特定のリソースについて送信するＰＤＣＣＨがない場合、基地局は、いかなる信号も送信しないことを原則とする。又は、基地局が他のチャネルを送信する場合、基地局は、ＰＤＣＣＨ用のＤＭ−ＲＳと同じリソース及びシーケンス情報を有するＤＭ−ＲＳを含むチャネルのみを送信することができる。又は、上記特定のリソースがそれ以外の用途として使用される場合、基地局は、ＵＥに、該当リソースがＲＬＭ用干渉及び雑音測定用として使用できないことを知らせる必要がある（例えば、ＲＲＣシグナリング、ＤＣＩなど））
【０２６６】
−ＣＯＲＥＳＥＴに関する情報（例えば、基地局がＣＯＲＥＳＥＴをＰＤＳＣＨ又は他のチャネルの送信などに使用する場合、基地局は、上述したＲＬＭ干渉及び雑音測定用リソースをＰＤＳＣＨリソースに使用せず、ＰＤＳＣＨが割り当てられたＵＥは、デコーディングを行うとき、ＰＤＳＣＨリソースマッピングのための情報として利用しなければならない。したがって、基地局は、これに関する情報を全てのＵＥに知らせる必要がある）。このとき、基地局が基本的に伝達する情報は、全て有効な制御チャネル送信用リソースのうち、特定のリソース情報を時間／周波数上で定義することができる。
【０２６７】
かかる情報によりＲＬＭ用の干渉及び雑音の量を測定するためのリソースが割り当てられたＵＥは、上述したように、該当リソースを用いて干渉及び雑音を抑制するようにチャネルを推定し、その後、ＤＭ−ＲＳが送信されたリソースにより受信した信号から推定したチャネルを用いて、ＰＤＣＣＨ  ＤＭ−ＲＳに該当する信号を除去した後に残った信号を雑音や干渉信号と見なし、これに対するパワーを測定することができる。その後、ＵＥは、測定された結果値とＲＬＭ用のＲＳにより得たサービング基地局からの信号強度（サイズ）（strength）とを用いて、ＲＬＭ用のチャネル品質測定のためのメトリックを導き出すことができる。さらに、割り当てられたリソースだけではなく、他のリソースについてもさらなる情報を導き出すことができれば（これは、端末の具現方法によって異なる）、ＵＥは、２つの（タイプの）（two types of）リソースから得た情報を共に利用して雑音及び干渉の量を推定することもできる。
【０２６８】
ここで言及する干渉及び雑音の量を測定するためのリソース及び方法に関する内容は、ＲＬＭ測定用の参照信号又はチャネルとしてＣＳＩ−ＲＳを使用せず、他のチャネルが定義されても同様に適用される（例えば、ＳＳ  ｂｌｏｃｋ内のＳＳＳ（Secondary Sync Signal）がＲＬＭ用の測定信号として定義されても、基準チャネルで求める干渉リソースを正確に反映するために、ＳＳＳは、基地局から受信される信号の強度（サイズ）を得るための信号としてのみ使用し、干渉及び雑音測定用としては、上述した方法が適用されることができる）
【０２６９】
（５）多数のチャネルを使用する場合
【０２７０】
上述したように、ＳＳ  ｂｌｏｃｋの送信が間欠的に行われてＲＬＭ−ＣＳＩ−ＲＳがＲＬＭのために用いられるように設定された場合、ＵＥは、ＲＬＭのための測定チャネルとして、ＳＳ  ｂｌｏｃｋ及びＲＬＭ−ＣＳＩ−ＲＳを共に使用することができる。このように、多数のチャネルを用いることができる場合、基地局は、ＳＳ  ｂｌｏｃｋ及びＲＬＭ−ＣＳＩ−ＲＳのうちどのチャネルを使用するかを、ＲＲＣシグナリング又はＬ１シグナリング（Layer 1 signaling）によりＵＥに指定することができる。
【０２７１】
一方、ＵＥは、ＳＳ  ｂｌｏｃｋを基本的なＲＬＭのためのチャネルとして使用し、ＲＬＭ−ＣＳＩ−ＲＳ関連リソース情報が提供されると、ＲＬＭのためのチャネルとしてＲＬＭ−ＣＳＩ−ＲＳを使用し、該当リソース情報が有効でない場合は、ＳＳ  ｂｌｏｃｋをＲＬＭのためのチャネルとして用いることができる。
【０２７２】
又は、ＵＥは、ＲＬＭ−ＣＳＩ−ＲＳを基本的なＲＬＭのためのチャネルとして使用し、ＲＬＭ−ＣＳＩ−ＲＳとＱＣＬされないＳＳ  ｂｌｏｃｋをさらに使用することができる。このとき、基地局は、ＲＬＭ−ＣＳＩ−ＲＳリソースの設定をＵＥに知らせ、設定されたＲＬＭ−ＣＳＩ−ＲＳとＱＣＬ関係ではないＳＳ  ｂｌｏｃｋを使用するか否かをＵＥに設定することができる。
【０２７３】
この場合、ＲＬＭ−ＣＳＩ−ＲＳ及びＳＳ  ｂｌｏｃｋは、基地局がビームを形成する段階でビーム利得が異なるか、又は送信段階で割り当てる送信電力レベル（transmission power level）が異なる。よって、基地局は、連結関係を有するＰＤＣＣＨに対する送信電力の差を各チャネルごとに知らせるか、又は基本チャネル（例えば、ＲＬＭ−ＣＳＩ−ＲＳ）についてのみＰＤＣＣＨに対する送信電力の差を知らせ、付加（追加の）（additional）チャネルについては、これに対するオフセット値を知らせることができる。また、基地局は、１つのチャネルは必ずＰＤＣＣＨと送信電力レベルが同一であると仮定し、他の１つのチャネルについてのみ送信電力の差をオフセット値としてＵＥに知らせることもできる。
【０２７４】
このように、多数のチャネルを使用する場合、ＵＥは、具現段階で同じビームについても２つの情報を同時に適切に活用することができる。
【０２７５】
このように、異なる設定を使用する場合、ＵＥは、各々の参照信号について受信品質を測定した後、基地局が設定したオフセット（差）値を受信品質測定に反映してこれをＩＳ／ＯＯＳ決定に使用することができる。
【０２７６】
上述したように、ＵＥにＳＳ  ｂｌｏｃｋとＲＬＭ−ＣＳＩ−ＲＳとが同時に設定され、これらを同時に使用する場合、基地局は、２つのチャネルの送信特性（代表的な例としてｔｒａｎｓｍｉｓｓｉｏｎ  ｐｏｗｅｒ  ｌｅｖｅｌ）が異なる場合を反映して、このための設定をＵＥに知らせなければならない。但し、基地局がＳＳ  ｂｌｏｃｋに該当するビームとＲＬＭ−ＣＳＩ−ＲＳに該当するビームとを用いてＰＤＣＣＨを送信するとき、ＤＣＩフォーマットが異なるか又は上述したようにビーム利得を含むことにより、送信電力レベルが異なることができる。
【０２７７】
このために、ＲＬＭのための参照ＰＤＣＣＨ構成を定義する場合、基地局は、２つの参照信号について各々異なる構成（configuration）を定義することができる。この場合、ＵＥの立場では、各々の参照信号について互いに異なるＱｉｎ／Ｑｏｕｔを定義することと解釈することができる。
【０２７８】
このような事項を反映して、基地局は、２つの参照信号について別に設定値を指示しないが、ＵＥは、予め定義された参照ＰＤＣＣＨ構成に基づいて、各々の参照信号について別のＱｉｎ／Ｏｕｔを考慮して動作することができる。即ち、ＵＥは、ＳＳ  ｂｌｏｃｋを用いて測定した通信受信品質をＱｉｎ＿ＳＳ／Ｑｏｕｔ＿ＳＳと比較してＩＳ／ＯＯＳを決定し、ＲＬＭ−ＣＳＩ−ＲＳを用いて測定した通信受信品質をＱｉｎ＿ＣＳＩ／Ｑｏｕｔ＿ＣＳＩと比較してＩＳ／ＯＯＳを決定することができる。
【０２７９】
Ｍｕｌｔｉ−ｂｅａｍ  ｓｃｅｎａｒｉｏにおけるビーム回復及びＲＬ回復
【０２８０】
本発明が適用可能なＮＲシステムでは、上述したように、マルチビームを用いる構造で動作する。このようなシステムにおいて、ＵＥ及び基地局は、接続を設定する（connection setup）段階で、上りリンク及び下りリンクに対する最適なビームの対（beam pair）を設定し、持続的に最適なビームの対を維持するためのビームトラッキング（beam tracking）を行う必要がある。
【０２８１】
このような通信過程のうち、通信受信品質が非常に悪くなる場合としては、大きく、無線リンク自体が様々な理由によって（例えば、適切な時点でＨＯを試みることができなかった、又は受信品質の急激な低下によるＵＥの時間／周波数トラッキングの失敗など）通信不可能になる場合と、無線リンク上では大きな問題はないが、適切なビームトラッキングが行えず、通信品質が急に低下した場合と、に分けることができる。
【０２８２】
前者の場合、かかる状態が一定時間持続されると、ＵＥは、ＲＬＦによる回復過程を行う必要がある（ＬＴＥシステムの場合、ＵＥは、ｃｅｌｌ  ｒｅｅｓｔａｂｌｉｓｈｍｅｎｔを行う）。
【０２８３】
後者の場合、ＵＥは、早い時間内にビーム回復過程を行うことにより、サービング基地局との通信状態を維持する過程（例えば、サービングビームを再設定する過程）を行うことができる。
【０２８４】
よって、ＵＥは、現在の通信品質の状態がＲＬＦによる回復過程を必要とする状態であるか、又はビーム回復過程を必要とする状態であるかを決定しなければならない。一般的には、無線リンク回復過程は、ビーム回復過程に比べて多くの時間を必要とするので、ＵＥの決定にミスがある場合、不要なサービス切断（service interruption）が発生してしまう。
【０２８５】
以下、ＵＥが上述したＲＬＭのためのメトリックを用いてビーム回復又は（と）無線リンク回復に対する決定を行う（determining whether to perform beam recovery or radio link recovery）方法（正確な意味では、物理層においてビーム失敗状態であるか又はＯＵＴ−ＯＦ−ＳＹＮＣ状態であるかを判断する方法）について詳しく説明する。現在、マルチビームを使用するＮＲシステムの場合、初期ビーム獲得（beam acquisition）過程のためのビームごと（又はビームグループごと）のＳＳ  ｂｌｏｃｋ送信のための方式が考えられている。ＤＣＩ送信のためのＣＳＳ及びＲＬＭ−ＣＳＩ−ＲＳの場合にも、ＳＳ  ｂｌｏｃｋと同様に、同じビーム領域内に存在するＵＥのグループについて同じリソースが割り当てられることができる。
【０２８６】
かかる特性を用いて、ＵＥがＳＳ  ｂｌｏｃｋ、ＳＳ  ｂｌｏｃｋに接続されたＲＬＭ−ＣＳＩ−ＲＳやＣＳＳ内ＤＣＩをＲＬＭ用の参照信号（又はチャネル）として用いる場合を仮定する。
【０２８７】
下りリンクの場合、ＵＥに、ＣＳＩ−ＲＳなどのビームトラッキング信号セット（beam tracking signal set）が割り当てられ、ビームの対に対するトラッキングを行うことができる。このような動作中に基地局が設定するか又はＵＥが自体で決定したビームトラッキング失敗（beam tracking failure）条件を満たす場合、ＵＥは、どの回復過程を行うかを決定しなければならない。
【０２８８】
ＵＥが異なる送信ビームを選択する場合、ＵＥは、通信品質上に問題がないかを点検するために、他のビームに対する通信品質を測定する。このとき、ＵＥは、各ビームに対する通信品質として、ビームごとに、ＳＳ  ｂｌｏｃｋ、ＲＬＭ−ＣＳＩ−ＲＳ又はＣＳＳ内のＲＬＭ-ＤＣＩなどの品質を測定し、多数のビームのうち、ビーム回復のために基地局が設定した（又は標準上、所定の）閾値を超えるビームが存在すると、ビーム回復過程により回復が可能であると判断し、そうでない場合は、ＲＬＭ過程（ＵＥがＯｕｔ−ｏｆ−ｓｙｎｃを宣言し、規格が定義した動作を行う）を行う。かかる動作の定義のために、各ビームセットごとにＲＬＭのための基準チャネル及び測定チャネルが定義されるチャネルが存在することができる。
【０２８９】
整理すると、マルチビームを使用するシステムの場合、ＵＥは、ＲＬＭ用の測定チャネルとして定義されたチャネルについて全てのビームの通信品質を測定して、全てのビームの通信品質が予め定義されたか又は基地局により設定された基準値に及ばない場合（例えば、ビーム獲得が完了されていないビームについてはチャネル品質測定ができなくても基準値に及ばないと判断する）、ＲＬＦ（実際、物理層ではＯＵＴ−ＯＦ−ＳＹＮＣ状態）と判断する。但し、サービングビームではない他のビームについて基準値を満たす場合は、ＵＥは、ＲＬＦによる回復動作（実際、物理層ではＯＯＳを上位層に報告し、一定時間以上ＯＯＳと報告すると、回復動作を行う）ではないビーム回復過程（実際、物理層におけるビーム失敗状態に対する報告過程）を行うことができる。
【０２９０】
即ち、基地局が設定したか又は標準が設定した閾値（Ｑ＿ＯＵＴ）が与えられる場合、ＵＥは、全てのビームの通信品質が閾値（Ｑ＿ＯＵＴ）に比べて低くなると、ＯＵＴ−ＯＦ−ＳＹＮＣ状態と判断する。
【０２９１】
反面、従来のＬＴＥシステムと同様に、ＩＮ−ＳＹＮＣ状態に対する閾値としては、以前の状態によって他の閾値が使用されることができる。即ち、以前の状態がＩＮ−ＳＹＮＣ状態であると、閾値としては、ＯＵＴ−ＯＦ−ＳＹＮＣを判断するための閾値のような値（例えば、Ｑ＿ＯＵＴ）が使用され、この場合、ＵＥは、全てのビーム（リソース）のうち１つのビーム（リソース）でも通信品質がＱ＿ＯＵＴ以上であると、ＩＮ−ＳＹＮＣ状態と判断することができる。反面、以前の状態がＯＵＴ−ＯＦ−ＳＹＮＣであると、ＩＳとＯＯＳとの間のピンポン（ping-pong）効果を防止するために、閾値としては他の閾値（例えば、Ｑ＿ＩＮ）が使用され、この場合、ＵＥは、全てのビーム（リソース）のうち１つのビーム（リソース）でも通信品質がＱ＿ＩＮ以上であると、ＩＮ−ＳＹＮＣ状態と判断することができる。このとき、各リソースに対する通信品質の予測において、ＵＥは、各リソースがＰＤＣＣＨと異なる設定（例えば、送信電力など）を有する場合、これを反映して通信品質を予測することができる。
【０２９２】
ＲＬＭ−ＲＳとＢＭ−ＲＳとの関係
【０２９３】
ＮＲシステムのように多数のビームを使用する通信システムでは、ＵＥがセルレベルで基地局との安定した通信を行うことができるか否かを判断するためのＲＬＭと共に、多数のビームのうち、基地局と端末との間で最適な通信を提供するサービングビームを持続的に接続及び追跡するためのビーム管理を行うことができる。
【０２９４】
ＵＥは、ＲＬＭの過程中にＲＬＦが発生すると（例えば、端末と基地局との間でＰＤＣＣＨの受信が難しいと判断される状態であって、仮想のＰＤＣＣＨ  ＢＬＥＲを測定して全てのビームについて品質が一定時間の間に一定の閾値以下に落ちる状態）、無線リンク回復過程としてＲＲＣ接続再設定（RRC reestablishment）過程を行い、ビーム管理の過程中に、ビーム失敗が発生すると（例えば、ＮＲシステムでは、このためにＰＤＣＣＨを受信するためのサービングビームを用い、該サービングビームの品質が一定時間の間、一定の閾値以下に落ちる状態）、サービングビームを再設定するためのビーム回復過程を行う。
【０２９５】
このようなＵＥの動作をサポートするために、各々の機能に対するチャネル品質測定のための参照信号セットが設定される。
【０２９６】
即ち、本発明が適用可能なＮＲシステムでは、ＲＬＭを行うためのＲＬＭ−ＲＳセット（例えば、ＳＳ  ｂｌｏｃｋ及びＣＳＩ−ＲＳなど）が定義され、さらにビーム管理用のビームトラッキングを行うためのＢＴ−ＲＳと共に、ビーム回復の過程中に、新しいサービングビームの設定を助けるためのＢＲ−ＲＳセットが定義される（例えば、ＲＳｓ  ｆｏｒ  ｎｅｗ  ｃａｎｄｉｄａｔｅ  ｂｅａｍ  ｉｄｅｎｔｉｆｉｃａｔｉｏｎ（新たな候補ビームを識別するＲＳ）、ＳＳ  ｂｌｏｃｋ、ＣＳＩ−ＲＳ、ＳＳ  ｂｌｏｃｋ  ＆  ＣＳＩ−ＲＳなど）。
【０２９７】
上記ＲＳは、それぞれが別の（異なる）動作のために設定されるＲＳであって、基本的には、基地局は、各々のＲＳを用いて対応する機能が安定して行われるように各ＲＳを独立して設定することができる。但し、ＲＬＭのためのＲＬＭ−ＲＳとビーム回復のためのＢＲ−ＲＳとが完全に独立して設定され、これらが異なるＲＳで構成される場合は、ＵＥの具現上、以下のような問題が発生し得る。
【０２９８】
一例として、基地局が８つのビームでシステムを構成し、各々のビームについて｛ＳＳＢ１、ＳＳＢ２、…、ＳＳＢ８｝で構成されるＳＳＢを送信すると仮定する。
【０２９９】
かかる状態において、基地局は、１つのＵＥについてＲＬＭのためのＲＳとして｛ＳＳＢ１、ＳＳＢ２、ＳＳＢ３、ＳＳＢ４｝を設定し、ＢＲ−ＲＳとして｛ＳＳＢ２、ＳＳＢ３、ＳＳＢ４、ＳＳＢ５｝を設定することができる。この場合、ＵＥがビーム管理動作中にビーム失敗状態になる場合、ＵＥは、新しいサービングビームを探す過程としてＢＲ−ＲＳに対して最適なビームを検出する過程を行って、ＳＳＢ５を検出することができる。但し、この状態で、ＵＥは、ＲＬＭのために設定されたＲＬＭ−ＲＳセットによってＳＳＢ１〜ＳＳＢ４に対するチャネル品質のみを測定し、この測定された情報に基づいて持続的にＲＲＣ層にＯＯＳ（Out-Of-Sync）を報告することができる。
【０３００】
かかる過程において、基地局が早く（即座に）（rapidly）ＲＬＭ−ＲＳセットを再設定できない場合、ＵＥは、ＲＬＦを宣言し、ＲＲＣ再確立（RRC reestablishment）を行う。即ち、ＵＥは、ビーム回復過程により基地局と安定した通信状態を維持できるにもかかわらず、不要なＲＬ回復過程を行うことになる。
【０３０１】
逆に、上述した仮定下で、基地局は、１つのＵＥについてＲＬＭのためのＲＳとして｛ＳＳＢ１、ＳＳＢ２、ＳＳＢ３、ＳＳＢ４｝を設定し、ＢＲ−ＲＳとして｛ＳＳＢ２、ＳＳＢ３、ＳＳＢ４、ＳＳＢ５｝を設定することができる。この場合、ＵＥがビーム管理動作中にビーム失敗状態になる場合、ＵＥは、新しいサービングビームを探す過程としてＢＲ−ＲＳに対して最適なビームを検出する過程を行ったが、ＢＲ−ＲＳセットから所望の品質のＲＳが得られないことがある。但し、この状態で、ＵＥは、ＲＬＭのために設定されたＲＬＭ−ＲＳセットによってＳＳＢ１〜ＳＳＢ４に対するチャネル品質のみを測定し、ＳＳＢ１に該当するビームが基地局との通信に十分な品質を有すると、測定された情報に基づいてＲＲＣ層にＩＳ（In-Sync）を報告することができる。
【０３０２】
但し、この場合、ＵＥは、ビーム回復過程で失敗が発生するまでどのような動作も行えない問題がある。
【０３０３】
この問題は、ＵＥがＲＬＭ−ＲＳのためのリソースとしてビーム回復過程で新しいビーム識別（new beam identification）のためのＢＲ−ＲＳのためのリソースを使用できるようにすると解決できる。このための方法として、基地局がＲＬＭのためのＲＬＭ−ＲＳリソース設定情報をＵＥに送信する場合、ＵＥは、該当リソースをＢＲ−ＲＳとして使用することができる。又は、この方法に対する反対事項として、基地局がビーム回復のためのＢＲ−ＲＳリソース設定情報をＵＥに送信する場合、ＵＥは、該当リソースをＲＬＭ−ＲＳとして使用することができる。
【０３０４】
上述したように、本発明が適用可能なＮＲシステムでは、ＢＲ−ＲＳとして、ＳＳ  ｂｌｏｃｋ、ＣＳＩ−ＲＳ、又はＳＳ  ｂｌｏｃｋとＣＳＩ−ＲＳとを同時に使用するように設定する方式が適用される。
【０３０５】
このとき、ＢＲ−ＲＳとしてＳＳ  ｂｌｏｃｋとＣＳＩ−ＲＳとが同時に使用される場合、上述したように、ＵＥがＢＲ−ＲＳとＲＬＭ−ＲＳとを共有して使用できないという問題が発生し得る。
【０３０６】
このために、ＢＲ−ＲＳとしてＳＳ  ｂｌｏｃｋとＣＳＩ−ＲＳとが同時に使用されるように設定された場合、基地局は、各々のＣＳＩ−ＲＳと関係を有するＳＳ  ｂｌｏｃｋ（例えば、（互いの）相関関係を有するＳＳ  ｂｌｏｃｋ（SS block with correlation）又は対応するＣＳＩ−ＲＳとＱＣＬ関係であるＳＳ  ｂｌｏｃｋ）をパラメータの設定過程で指定するか、逆に各々のＳＳ  ｂｌｏｃｋと関係を有する予め設定されたＣＳＩ−ＲＳ（例えば、互いの連結関係（相関関係）を有するＣＳＩ−ＲＳ（CSI-RS with correlation）又は対応するＳＳ  ｂｌｏｃｋとＱＣＬ関係であるＣＳＩ−ＲＳ）をパラメータの設定過程で指定することができる。このようなＢＲ−ＲＳ設定を受信したＵＥは、ＲＬＭ−ＲＳを構成する段階で、明示的に設定されたＳＳ  ｂｌｏｃｋとＣＳＩ−ＲＳと連結関係を有する（関連付けられた）ＳＳ  ｂｌｏｃｋとを全て利用できるようにＲＬＭ−ＲＳセットを構成するか、又は明示的に設定されたＣＳＩ−ＲＳとＳＳ  ｂｌｏｃｋと連結関係を有するＣＳＩ−ＲＳとを全て利用できるようにＲＬＭ−ＲＳセットを構成することができる（Upon receiving the BR-RS configuration, the UE may configure an RLM-RS set so as to use both the explicitly configured SS blocks and the SS blocks associated with the CSI-RSs or both the explicitly configured CSI-RSs and the CSI-RSs associated with the SS blocks when configuring RLM-RSs）。
【０３０７】
シグナリングオーバーヘッド又は端末の複雑度を低減するためのＲＬＭ−ＲＳ構成及びモニタリングＲＳセットの構成
【０３０８】
上述したように、ＲＬＭ（又は、ビームトラッキング、新しいビーム識別（new beam identification））のために、基地局は、基地局がサポートするビームに対して、できる限り多い方向にＲＬＭ−ＲＳ（又は、使用例によっては、ビーム管理用のＲＳであることもできる。但し、説明の便宜上、以下では、上記構成をＲＬＭ−ＲＳと総称する）を割り当て、ＵＥは、割り当てられた全てのＲＬＭ−ＲＳに対してリンク品質（link quality）を測定することができる。
【０３０９】
しかしながら、基地局がサポートするビームの数（例えば、ＳＳ  ｂｌｏｃｋの数は、最大６４個で構成される）が多すぎる場合は、ＵＥが全てのＲＬＭ−ＲＳに対してモニタリングを行うことにより受信器の複雑度を過大にすることができる。
【０３１０】
この解決方法として、以下の２つの方法が考えられる。
【０３１１】
（１）基地局がＵＥに設定するＲＬＭ−ＲＳの数を一定数以下に制限する
【０３１２】
（２）基地局は、ＵＥに、基地局が運用する全ビームに該当するＲＬＭ−ＲＳリソースセットを設定し、ＵＥは、設定されたＲＬＭ−ＲＳリソースセットのうち、サブセットを選択し、該選択されたサブセットについてのみモニタリングを行う。
【０３１３】
（１）の方法についてより具体的に説明すると、基地局が多数の送信ビームを用いてシステムを運用している状況を仮定すると、基地局は、ビーム管理のために割り当てたＢＭ−ＲＥリソースセットについてＵＥから測定されて伝達されたＬ１−ＲＳＲＰ（Layer 1-Reference Signal Received Power）を基準としてビームごとに受信品質を把握し、それに基づいてＲＬＭのためのＲＬＭ−ＲＳリソースセットをＵＥに設定することができる。
【０３１４】
図１２は、基地局がＮ個のビームのうち、＃１〜＃４に該当するビームについてＢＭ−ＲＳを割り当て、＃２〜＃５についてＲＬＭ−ＲＳリソースを設定する構成を簡単に示す図である。
【０３１５】
図１２に示したように、基地局は、Ｎ個のビームのうち、＃１〜＃４に該当するビームについてＢＭ−ＲＳを割り当てることができる。このとき、これらのビームのうち、＃３、＃４がＬ１−ＲＳＲＰ報告により最良の品質を示すと判断された場合、基地局は、この最良の品質を示すビーム＃３及び＃４を中心として＃２〜＃５についてＲＬＭ−ＲＳリソースを設定することができる。
【０３１６】
このような動作において、基地局は、ＵＥが報告するＢＭ−ＲＳに対するＬ１−ＲＳＲＰがアップデートされるたびにＲＬＭ−ＲＳリソースセットを再度割り当てなければならないという問題がある。よって、ＲＲＣシグナリングによる設定が頻繁に発生して、これにより基地局が過渡なシグナリングオーバーヘッドを有する問題を引き起こすことができる。
【０３１７】
よって、本発明では、かかる頻繁なＲＲＣシグナリングによるオーバーヘッドを減らすための方法として、以下の方法を提案する。
【０３１８】
具体的には、基地局は、ＵＥに、信号設定段階でＲＬＭ−ＲＳリソースセットに関する情報を知らせる。かかる情報を構成する段階において、基地局は、今後基地局が（ビーム管理のために）指示するサービングビームによるＲＬＭ−ＲＳリソースサブセットを構成して、これを知らせる（例えば、４つのサービングビームがサポートされる場合、ビーム＃１はＣＳＩ−ＲＳ＃１〜４、ビーム＃２はＣＳＩ−ＲＳ＃３〜６、のように、リソースサブセットを構成する）。このとき、ＲＬＭ−ＲＳリソースサブセットに含まれるＲＬＭ−ＲＳリソースの数は、標準によって予め定義されるか、又はＵＥの能力（capability）によって決定される。
【０３１９】
基地局により制御チャネル又はデータチャネルに対するサービングビームがアップデートされるとき、上記のような情報が設定されたＵＥは、別のＲＲＣシグナリングなしでＲＬＭ−ＲＳリソース構成（configuration）を自体で行うことができる。この場合、サービングビームの数が多数であり、ＵＥの能力（capability）がサービングビームの数によるＲＬＭ−ＲＳリソースの数を全て含むことができない場合、基地局は、ＵＥに、サービングビームの優先順位又はＲＬＭ−ＲＳリソースのサブセット内でＲＬＭ−ＲＳリソースの優先順位を設定することができる。
【０３２０】
これに対応して、ＵＥは、優先順位によってモニタリングＲＬＭ−ＲＳリソースセットを構成することができる。次いで、ＵＥは、設定されたモニタリングＲＬＭ−ＲＳリソースセットに対してのみＲＬＭを行い、モニタリングＲＬＭ−ＲＳリソースセットに対する測定結果をセルに対するＲＬＭ結果として使用することができる。
【０３２１】
このとき、基地局が伝達するサービングビームの優先順位は、基地局がサービングビームを指示するメッセージ（例えば、ＲＲＣ信号メッセージ又はＭＡＣ（Medium Access Control）ＣＥ（Control Element））により指示される。又は、基地局が伝達するサービングビームの優先順位は、別の指示子なしで間接的な方法により決定することもできる。一例として、特定のメッセージ内で指示するビームインデックスの順序、又はビームごとのＰＤＣＣＨサーチスペース（検索空間）の（頻度の）サイズなどによって、暗示的にサービングビームの優先順位を指示することができる。
【０３２２】
さらに、サービングビームが変更されなかった状況において、サービングビームの優先順位が変更される場合、基地局は、サービングビームの優先順位に関する情報のみを別にＵＥに送信することができる。このとき、サービングビームの優先順位に関する情報は、ＭＡＣ  ＣＥ又はＤＣＩにより送信されることにより動的に設定されることができる。
【０３２３】
上述した構成において、ＲＬＭ−ＲＳリソースセットとサービングビームＲＳに対するＲＳタイプとは互いに異なることができる。一例として、ビーム管理によるビーム管理ＲＳとしてＣＳＩ−ＲＳが適用される反面、サービングビームによるモニタリングＲＬＭ−ＲＳとしてはＳＳ  ｂｌｏｃｋが適用されることができる。
【０３２４】
（２）の方法をより具体的に説明すると、（１）で言及した方法と同様に、基地局は、ＲＬＭ−ＲＳリソースセットを構成する段階で、基地局がサポートする全てのＲＬＭ−ＲＳリソースに関する情報をＵＥに知らせ、ＵＥは、自体でモニタリングＲＬＭ−ＲＳリソースセットを構成することができる。
【０３２５】
但し、（１）の方法において、ビーム管理過程で、基地局は、ビーム品質報告に基づいてＵＥにサービングビームを設定し、ＵＥは、該当情報に基づいてサブセットを構成する反面、（２）の方法においては、ＵＥは、サービングビーム情報とは関係なく、設定されたＲＬＭ−ＲＳリソースセットに対する品質に基づいて自体でサブセットを構成することができる。
【０３２６】
この過程で、リソースサブセット構成のために測定されるＲＬＭ−ＲＳリソースに対する品質は、ＲＬＭのためのメトリック（hypothetical PDCCH BLER）より単純な形態の単純なメトリック（simple metric）（例えば、ＲＳＲＰ、又はＲＬＭ−ＲＳ信号電力／ＲＬＭ−ＲＳ雑音パワーなど）により測定される。これにより、ＵＥの複雑度に対する負担が大きく減少する。このために、ＵＥは、上述した単純なメトリックによる最適又は最良の品質を有するＸ個（例えば、Ｘは、ＵＥの能力によって決定されるか、又は標準により設定される）のモニタリングＲＬＭ−ＲＳリソースセットを周期的にアップデートし、設定されたモニタリングＲＬＭ−ＲＳリソースセットについてのみＲＬＭを行い、該当モニタリングＲＬＭ−ＲＳリソースセットに対する測定結果を、セルに対するＲＬＭ結果として使用することができる。
【０３２７】
但し、このような単純なメトリックに基づいてＲＬＭ−ＲＳモニタリングセットを構成することは、基地局がセルの配置において反映したビームコーディネーション情報を全く活用できないという問題を引き起こすことができる。よって、本発明では、上述した方法と共に、該方法を補助するための基地局のシグナリング方法についても詳しく説明する。
【０３２８】
即ち、ＵＥは、優先的に（上述したように）ＵＥの複雑度を低減するために単純なメトリックを用いてＲＬＭ−ＲＳリソースセットに対する品質を測定し、測定結果に基づいて最適又は最良の品質を有するＲＬＭ−ＲＳを選定する。このとき、ＵＥが上記測定結果に基づいてモニタリングＲＬＭ−ＲＳリソースセットを構成できるように、基地局は、隣接するビーム方向を有するＲＬＭ−ＲＳリソース、又は同じＴＲＰで送信するＲＬＭ−ＲＳリソース、又は類似する受信領域をカバーするＬＭ−ＲＥリソースなどの情報を用いて、各ＲＬＭ−ＲＳリソースごとに互いに連結（相関）性を有する（mutually correlated）ＲＬＭ−ＲＳリソースとのリンク情報をＵＥに知らせることができる。次いで、ＵＥは、最適又は最良の品質を有するＲＬＭ−ＲＳリソースと基地局が伝達したリンク情報とを用いて、モニタリングＲＬＭ−ＲＳリソースセットを構成することができる。
【０３２９】
図１３は、ＲＬＭ−ＲＳリソース＃２が最良のＲＳＲＰで測定され、ＲＬＭ−ＲＳリソース＃２とリンクされたＲＬＭ−ＲＳリソースが｛＃１、＃３、＃９、＃１０｝である場合における、ＵＥのＲＬＭ方法を説明する図である。
【０３３０】
図１３に示したように、ＵＥがＲＳＲＰを単純なメトリックにより定義した状態でＲＬＭ−ＲＳリソース＃２が最良のＲＳＲＰにより測定され、ＲＬＭ−ＲＳリソース＃２とリンクされたＲＬＭ−ＲＳリソースが｛＃１、＃３、＃９、＃１０｝である場合（このとき、基地局は、５つのビームが類似する受信領域を共有していると判断したと仮定する）、ＵＥは、モニタリングＲＬＭ−ＲＳリソースセットで｛＃１、＃２、＃３、＃９  ＃１０｝を構成し、リソースセットについてＲＬＭメトリック（例えば、hypothetical PDCCH BLER）測定を行うことができる。次いで、ＵＥは、設定されたＲＬＭ−ＲＳリソースセットのうち、モニタリングのためのＲＬＭ−ＲＳリソースサブセットを構成することができる。これにより、ＵＥは、ＵＥの立場で多くの演算量を必要とする（求める）（requires）ＲＬＭ処理（プロセシング）に対する動作の回数を減少させることにより、ＵＥの複雑度を低減することができる。
【０３３１】
ＵＥに対してＲＬＭのために測定するＲＬＭ−ＲＳリソースは、ＵＥが基地局に接続された状態で変更可能である。一例として、図１２において、ＵＥがモニタリングビーム｛＃２、＃３、＃４、＃５｝を用いてＲＬＭを行っている場合、最良のビームの変更と共にモニタリングビームが｛＃４、＃５、＃６、＃７｝に変わることができる。よって、以下では、上記のような場合のＵＥの動作について詳しく説明する。
【０３３２】
より具体的には、ＵＥが１０ｍｓ単位で上位層にＩＳ／ＯＯＳ状態を報告する場合、ＵＥは、ＩＳ／ＯＯＳの定義によって（このとき、ＵＥは、設定された全てのビームの状態を反映して該当セルに対するＩＳ／ＯＯＳを最終判断する）モニタリングのために設定された｛＃２、＃３、＃４、＃５｝の全てのビームのリンク品質を１０ｍｓの間に測定した後、ＲＬＭ状態を報告する。このとき、ＵＥが｛＃２、＃３｝についてモニタリングを行った状態でモニタリングビームサブセットが変更される場合、ＵＥは、以下のように動作する。
【０３３３】
まず、ＵＥは、ＲＬＭが一般に求める周期的な報告の特性を維持するために、残りの｛＃４、＃５｝に対するリンク品質を全て測定し、該当セルのリンク品質を上位層に報告した後、変更されたモニタリングＲＬＭ−ＲＳリソースサブセットを適用して該当時点から変更されたリソースサブセットに対するリンク品質を測定する。
【０３３４】
さらに、ＵＥの上位層は、リソースが変更される前のリンク品質を用いて決定されたＲＬＭ  ｓｔａｔｕｓ、タイマ値などを記憶しているので、リソースの変更によりＵＥの上位レイヤがＲＬＭ  ｓｔａｔｕｓ及びタイマ値などをリセットするか又は以前の状態をそのまま反映するかを決定する必要がある。
【０３３５】
このとき、ＲＬＭの目的が最終的なセルの状態を反映することであるので、ＲＲＣシグナリング、下位層で定義されるリソースの直／間接的な指示又は端末自体の動作によりＲＬＭ−ＲＳリソースセット又はサブセットが変更されても、ＵＥの上位層は、以前の状態をそのまま維持した状態でＲＬＭ動作を行うことが好ましい。
【０３３６】
ビーム失敗と無線リンク失敗との関係
【０３３７】
ここでは、ビーム失敗に対する動作とＲＬＦに対する動作との間の関係に基づいて、ＯＵＴ−ＯＦ−ＳＹＮＣ状態及びさらなる（他の）状態に関する定義及び動作について詳しく説明する。
【０３３８】
（１）ビーム失敗と無線リンク失敗とが互いに関係を有して動作
【０３３９】
以下、ビーム管理（以下、ＢＭ）のためのＲＳが、ＲＬＦのためのＲＳのセット又はサブセットに含まれると仮定する。
【０３４０】
ＵＥは、ＢＭのためのＲＳを用いて持続的にサービングビームをトラッキングし、サービングビームの通信品質が決められた基準を満たさない場合、ビーム失敗を宣言してビーム回復過程を行う。この過程が完了するまで、ＵＥは、基地局とのデータパケットのやり取りが不可能な状態にある。かかる意味で、該当状態は、ＲＬＭのためのＯＵＴ−ＯＦ−ＳＹＮＣ状態と定義することができる。言い換えれば、ビーム管理の状態によってＲＬＭの状態が決められるか、又はビーム管理の状態がＲＬＭの状態を決定する１つの因子として適用される。
【０３４１】
サービングビームの通信品質が予め定義した閾値（例えば、Ｑ＿ｏｕｔ）より低い場合、ＵＥは、ビーム回復をトリガすると同時に、上位層（例えば、第３層（Ｌ３））にＯＵＴ−ＯＦ−ＳＹＮＣ状態であることを知らせることができる。
【０３４２】
さらに、ＩＮ−ＳＹＮＣ状態は、以前のＲＬＭ状態によって以下のように定義される。まず、以前の状態がＩＮ−ＳＹＮＣ状態である場合、ＵＥは、上述したような閾値であるＱ＿ｏｕｔを使用して、サービングビームの通信品質がＱ＿ｏｕｔより大きい場合をＩＮ−ＳＹＮＣ状態と定義することができる。反面、以前の状態がＯＵＴ−ＯＦ−ＳＹＮＣ状態である場合、ＵＥは、新しく設定されたサービングビーム又は以前に設定されたサービングビームの通信品質がＱ＿ＩＮより高い場合をＩＮ−ＳＹＮＣ状態と定義することができる。
【０３４３】
ここで、ＲＲＣ層のＬ３は、所定のパラメータによってＯＵＴ−ＯＦ−ＳＹＮＣ状態であることを受信した後、直ちに或いは短時間内に、ＲＬＦを宣言してこれに対する回復を行う。但し、このような動作がビーム回復動作が完了する前に行われる場合、正常なビーム回復動作を妨害することができる。したがって、以下のような補完報告が考えられる。
【０３４４】
−マルチビームシナリオ（Multi-beam scenario）において、ＲＬＦのためのタイマの設定は、ビーム回復のために必要な時間に依存し（従属関係を有し）（depends on）、ビーム回復のために必要な時間以上に設定されることができる。かかる構成は、上記のような条件を予めＲＬＦタイマ関連のパラメータ設定条件として定義して、タイマパラメータの設定時にこれを反映するか、又は、基地局が自体で上記のような条件を反映してＲＬＦタイマ関連パラメータを設定することにより具現することができる。
【０３４５】
−ビーム失敗によるＯＯＳ（サービングビームの通信品質が閾値以下である場合）について、ＲＲＣ層のＬ３は、一定時間の間ＲＬＦを宣言しないか、又は一定時間の間ＲＬＦ用タイマを増加させないことができる。ここで、“一定時間”は、ビーム回復に要する時間に基づいて決定され、該“一定時間”に対する値としては、基地局により設定されるか又は標準上定義される値が適用されることができる。このために、ＢＦによるＯＯＳが別の状態（ＯＯＳ-ＢＦ）と定義され、ＯＯＳ-ＢＦに関連するタイマは、Ｌ３により定義されることができる。Ｌ３は、ＯＯＳ−ＢＦ状態であることが下位レイヤから受信されると、該当タイマを増加させ、該当タイマが所定の値（例えば、上述した“一定時間”など）に至るまでＲＬＦ用タイマを増加させないことができる。
【０３４６】
次いで、ＵＥがビーム回復を成功裏に完了した場合、ＵＥは、ＩＮ−ＳＹＮＣをＬ３に報告してＲＬＦのためのタイマをリセットする。
【０３４７】
（２）ビーム失敗と無線リンク失敗とが独立して動作
【０３４８】
以下、ビーム管理のためのＲＳが、無線リンクモニタリングのためのＲＳのサブセットであるか、又は他のＲＳであると仮定する。
【０３４９】
このとき、ＵＥは、ビーム管理のための動作としてビームトラッキングのためのＲＳセットについて通信品質を測定し、それに基づいてビームトラッキング及びビーム失敗の動作を行うが、これに関連してＲＬＦのための状態報告を行わないことができる。
【０３５０】
ＵＥは、ＲＬＭのための動作として設定されたＲＳセット（例えば、上記ＲＳセットは、全てのビーム方向を含むように設定されることを原則とするが、これは、基地局の設定により決定されることができる。即ち、ＵＥは、設定されたＲＳセットが全てのビームを含んでいるか否かを分からない状態で動作することができる）に対するチャネル品質を測定することができる。
【０３５１】
全てのＲＳセットについてチャネル品質が設定した閾値以下であるか又は検出されなかった場合、ＵＥは、セルと通信不可能な状態であることを知らせるために、ＯＵＴ−ＯＦ−ＳＹＮＣ状態をＬ３（又はＲＲＣ層）に周期的又は必要によって非周期的に報告する。このとき、ビーム管理動作によりビーム失敗が宣言され、ＵＥがビーム回復動作を行っても、ＵＥは、ＲＳセットのうちの一部のＲＳのチャネル品質が設定した閾値より良好であれば、ＩＮ−ＳＹＮＣ状態と報告することができる。
【０３５２】
ここで、以前の状態がＩＮ−ＳＹＮＣ状態であると、ＵＥは、Ｉｎ−ｓｙｎｃ状態を判断するための閾値としてＯＵＴ−ＯＦ−ＳＹＮＣを判断するための閾値と同じ値（例えば、Ｑ＿ＯＵＴ）を使用することができる。但し、以前の状態がＯＵＴ−ＯＦ−ＳＹＮＣであると、ＩＳとＯＯＳとの間のピンポン効果を防止するために、ＵＥは、Ｉｎ−ｓｙｎｃ状態を判断するための閾値として、他の閾値（例えば、Ｑ＿ＩＮ）を使用する。
【０３５３】
即ち、ＲＬＭ過程中に決定するＩＮ−ＳＹＮＣ／ＯＵＴ−ＯＦ−ＳＹＮＣ状態について、ビーム管理状態は影響を与えない。但し、かかる動作は、ビーム失敗に対する回復過程に失敗したか、又は回復過程のための新しいビームが一定時間以上発見されていないが、Ｌ３において無線リンク失敗が宣言されていない場合、無線リンク回復による通話接続の再設定過程が不要に長くなるという問題があり得る。よって、ＵＥがＢＦとＲＬＦとについて独立して動作する場合、以下のような補完方法を適用できる。
【０３５４】
−ビーム管理中にビーム失敗が発生してビーム回復を行う過程において、１）一定時間（例えば、ビーム回復の動作上、定義される値、基地局により設定されるか、又は標準上、定義される値）以上の間、新しいサービングビーム候補が検出されないか、又は新しく検出されたビーム品質がビーム失敗のために設定した閾値以下であるとき、又は２）ビーム回復を行うために基地局にビーム回復に対する要求を送信したが、基地局がこれに対する応答メッセージ（新しいサービングビーム設定を確定する動作）を送信しないとき、ＵＥは、ビーム回復の失敗を宣言し、これをＬ３に報告することができる。Ｌ３は、ビーム回復の失敗を受信すると、無線リンク回復過程と同一又は類似する動作を行う。
【０３５５】
このために、ＵＥは、第１層（Ｌ１）や第２層（Ｌ２）について、ビーム回復のためのタイマとタイマ終了を決定するためのパラメータとを定義することができる。このとき、該当パラメータは、標準又は具現のためのパラメータ値として予め設定されるか、又は基地局により設定される。
【０３５６】
−ビーム管理中に、ＵＥは、ビーム失敗が発生してビーム回復を行う過程に入ると、これをＬ３に報告することができる。Ｌ３は、ビーム回復関連のタイマを別に設定することができる。このとき、該タイマに対するパラメータとしては、基地局から設定されたか又は予め定義された値が適用される。その後、ビーム回復が開始されたことがＬ３に報告されると、Ｌ３は、タイマを作動させる。次いで、Ｌ３は、タイマが終了する前にＬ１やＬ２からビーム回復の成功が受信されるとタイマをリセットし、Ｌ１やＬ２からいかなる報告もない状態でタイマが終了すると、無線リンク回復過程と同一又は類似する動作を行う。
【０３５７】
これら２つの動作は、ビーム失敗の動作と無線失敗の動作とが独立して行われるが、ビーム回復の失敗による接続再設定の過程のための動作を定義するためのものである。但し、２つの動作は、接続再設定を決定するためのタイマが、ビーム管理を定義するＬ１若しくはＬ２層で定義されるか、又は無線リンクモニタリングを定義するＬ３層で定義されるかによって差がある。
【０３５８】
上述した様々な本発明の提案事項を整理すると、以下の通りである。
【０３５９】
まず、ＵＥは、ＲＬＭのための参照信号としてＳＳ  ｂｌｏｃｋ内のＳＳＳやＰＢＣＨを用いることができる。このとき、ＲＬＭのために使用可能なメトリックとしては、平均ＳＮＲ（average SNR）、ＰＢＣＨ検出（PBCH detection）（或いはエラーレート）、ＰＢＣＨ又はＳＳＳ  ＢＥＲが活用される。
【０３６０】
一例として、ＳＳ  ｂｌｏｃｋの周期が長い場合、ＵＥは、新しく定義されたＣＳＳ内のＲＬＭ用ＤＣＩを用いてＲＬＭを行うことができる。このとき、ＲＬＭ用ＤＣＩは、ＲＬＭ用共通ＤＭ−ＲＳのみで構成されることができる。
【０３６１】
さらに、ＵＥは、新しく定義されたＲＬＭ用ＣＳＩ−ＲＳを用いてＲＬＭを行うことができる。このとき、基地局は、効率的にＲＬＭを行うために、ＲＬＭ用のＳＩ−ＲＳに関する情報として、ＳＳ  ｂｌｏｃｋ又は基準チャネル（例えば、ＰＤＣＣＨ）との連結情報をＵＥに知らせる。
【０３６２】
また、基地局は、ＲＬＭのための干渉及び雑音測定用リソースとしてＩＭ−ＣＳＩ−ＲＳ（Zero power CSI-RS）を定義して、これに対するリソースをＵＥに割り当てるか、又は、ＲＬＭのための干渉及び雑音測定用リソースとしてＣＯＲＥＳＥＴ内の一部のリソースを（干渉及び雑音測定用リソースを）ＵＥに知らせることができる。
【０３６３】
ＵＥは、ＲＬＭを行う過程において、ビームトラッキングに対する回復を行うか又は無線リンクモニタリングによる回復過程を行うかを決定することができる。このとき、ＵＥは、上述したＲＬＭ用のＲＳについてビームごと（ビームセットごと）にモニタリングを行い、その結果の値が全てのビームセットで閾値を超えない場合、Ｏｕｔ−ｏｆ−ｓｙｎｃと判断し、複数のビームセットに対する結果の値のうちの１つでも閾値を超える場合、ビーム回復過程を行うことができる。
【０３６４】
また、ＵＥは、ＲＬＭ及びビーム管理を行う過程において、ビーム失敗による回復過程を上位層に報告することにより、ＲＬＭのための動作の補助的な情報として使用することができる（例えば、ビーム回復失敗に関する情報によるＲＬＦ動作、ビーム回復によるＲＬＦタイマの瞬間的な停止など）。
【０３６５】
また、ＳＳとＲＬＭ−ＣＳＩ−ＲＳとが同時に使用される場合、基地局は、ＳＳ及びＲＬＭ−ＣＳＩ−ＲＳの送信電力レベル（transmission power level）（ビーム利得を含む）に関する情報をＵＥに提供することができる。さらに、ＵＥは、ＳＳ及びＲＬＭ−ＣＳＩ−ＲＳについて参照ＰＤＣＣＨ構成を互いに異なるように設定することができる。この場合、ＵＥは、多数のＱｉｎ／Ｑｏｕｔを定義し、各々の参照信号について各々定義したＱｉｎ／Ｑｏｕｔを使用してＩＳ／ＯＯＳを決定することができる。
【０３６６】
また、ＲＬＭ−ＣＳＩ−ＲＳリソースがＢＭ−ＣＳＩ−ＲＳとリソースを共有する場合、ＵＥは、ＢＭ−ＣＳＩ−ＲＳのリソース設定をＲＬＭ−ＣＳＩ−ＲＳのリソース設定に代替して使用することができる。
【０３６７】
図１４は、本発明の一実施例による端末の無線リンクモニタリングを行う方法を示す流れ図である。
【０３６８】
まず、本発明による端末は、少なくとも１つのリソースにより対応する同期信号／物理ブロードキャストチャネル（Synchronization Signal/Physical Broadcast CHannel；ＳＳ／ＰＢＣＨ）ブロック及びチャネル状態情報参照信号（Channel State Information Reference Signal；ＣＳＩ−ＲＳ）のうちの少なくとも１つを受信する（Ｓ１４１０）。このとき、ＳＳ／ＰＢＣＨブロックは、ＰＳＳ（Primary Synchronization Signal）、ＳＳＳ（Secondary Synchronization Signal）及びＰＢＣＨ（Physical Broadcast CHannel）を含むことができる。
【０３６９】
より具体的には、端末は、基地局から、少なくとも１つのリソースにより、各リソースに対応するＳＳ／ＰＢＣＨブロックのみを受信するか、又は対応するＣＳＩ−ＲＳのみを受信する（行う）か、又は対応するＳＳ／ＰＢＣＨブロック及びＣＳＩ−ＲＳを全て受信する。
【０３７０】
ここで、少なくとも１つのリソースに対応するＣＳＩ−ＲＳは、少なくとも１つのリソースに対応するビーム管理（ＢＭ）のためのＣＳＩ−ＲＳと同じ特性を有するように設定される。このとき、ビーム管理のためのＣＳＩ−ＲＳは、別に定義される。
【０３７１】
ここで、リソースは、ビームに対応する。よって、本発明による無線通信システムにおいてマルチビーム送信をサポートする場合、端末は、少なくとも１つのビームにより対応するＳＳ／ＰＢＣＨブロック及び／又はＣＳＩ−ＲＳを受信することができる。
【０３７２】
次いで、端末は、受信したＳＳ／ＰＢＣＨブロック及びＣＳＩ−ＲＳのうちの少なくとも１つを用いて無線リンク品質を測定する（Ｓ１４２０）。また、端末は、測定された無線リンク品質に基づく無線リンク状態情報を上位層（higher layer）に送信する（Ｓ１４３０）。
【０３７３】
このとき、無線リンク品質の測定のためのメトリック（metric）としては、仮想物理下りリンク制御チャネル（hypothetical PDCCH）に対するブロックエラーレート（Block Error Rate；ＢＬＥＲ）、又はこれに相応するｅｆｆｅｃｔｉｖｅ  ＳＮＲが適用される。又は、無線リンク品質の測定のためのメトリックとしては、（仮想）ＰＤＳＣＨに対するＢＬＥＲ、又はこれに相応するｅｆｆｅｃｔｉｖｅ  ＳＮＲが適用されることもできる。
【０３７４】
よって、少なくとも１つのリソースの全てに対する無線リンク品質が閾値より低い場合、端末は、無線リンク状態情報を‘Out-of-sync’として上位層に送信することができる。
【０３７５】
また、上記受信したＳＳ／ＰＢＣＨブロックとＣＳＩ−ＲＳとの送信電力が異なる場合は、上記受信したＳＳ／ＰＢＣＨブロックとＣＳＩ−ＲＳとの間の送信電力の差を考慮して、無線リンク品質の測定が行われることができる。
【０３７６】
さらに、端末は、各リソースごとのＳＳ／ＰＢＣＨブロック及びＣＳＩ−ＲＳに対する連結関係に関する情報を受信することができる。よって、端末は、上記連結関係に関する情報を用いてＲＬＭを行うこともできる。
【０３７７】
上述した提案方式に関する一例も本発明の具現方法の１つとして含まれてもよく、一種の提案方式と見なし得ることは明白な事実である。また、上述した提案方式は、独立して具現されてもよく、一部の提案方式の組合せ（又は、併合）の形態で具現されてもよい。上記提案方法の適用の有無に関する情報（又は、上記提案方法の規則に関する情報）は、基地局が端末に事前に定義されたシグナル（例えば、物理層シグナル又は上位層シグナル）で知らせるように規則が定義されてもよい。
【０３７８】
５．装置構成
【０３７９】
図１５は、提案する実施例を具現できる端末及び基地局の構成を示す図である。図１５に示した端末及び基地局は、上述した端末の無線リンクモニタリング方法の実施例を具現するために動作する。
【０３８０】
端末（ＵＥ：User Equipment）１は、上りリンクでは、送信端として動作し、下りリンクでは、受信端として動作することができる。また、基地局（ｅＮＢ：e-Node B）１００は、上りリンクでは、受信端として動作し、下りリンクでは、送信端として動作することができる。
【０３８１】
即ち、端末及び基地局は、情報、データ及び／又はメッセージの送信及び受信を制御するためにそれぞれ、送信器（Transmitter）１０，１１０及び受信器（Receiver）２０，１２０を含むことができ、情報、データ及び／又はメッセージを送受信するためのアンテナ３０，１３０などを含むことができる。
【０３８２】
また、端末及び基地局は、それぞれ、上述した本発明の実施例を行うためのプロセッサ（Processor）４０，１４０、及びプロセッサの処理過程を一時的（臨時的）に（temporarily）又は持続的に記憶できるメモリ５０，１５０を含むことができる。
【０３８３】
このように構成された端末１は、受信器２０で少なくとも１つのリソースにより対応する同期信号／物理ブロードキャストチャネル（Synchronization Signal/Physical Broadcast CHannel；ＳＳ／ＰＢＣＨ）ブロック及びチャネル状態情報参照信号（Channel State Information Reference Signal；ＣＳＩ−ＲＳ）のうちの少なくとも１つを受信する。ここで、ＳＳ／ＰＢＣＨブロックは、ＰＳＳ（Primary Synchronization Signal）、ＳＳＳ（Secondary Synchronization Signal）及びＰＢＣＨ（Physical Broadcast CHannel）を含む。次いで、端末１は、プロセッサ４０で上記受信したＳＳ／ＰＢＣＨブロック及びＣＳＩ−ＲＳのうちの少なくとも１つを用いて無線リンク品質（radio link quality）を測定する。次いで、端末１は、プロセッサ４０で上記測定された無線リンク品質に基づく無線リンク状態情報を上位層（higher layer）に送信する。
【０３８４】
端末及び基地局に含まれた送信器及び受信器は、データ送信のためのパケット変復調機能、高速パケットチャネルコーディング機能、直交周波数分割多元接続（ＯＦＤＭＡ：Orthogonal Frequency Division Multiple Access）パケットスケジューリング、時分割二重（デュプレックス）（ＴＤＤ：Time Division Duplex）パケットスケジューリング及び／又はチャネル多重化機能を有することができる。また、図５２の端末及び基地局は、低電力ＲＦ（Radio Frequency）／ＩＦ（Intermediate Frequency）ユニットをさらに含むことができる。
【０３８５】
一方、本発明において端末として、個人携帯端末機（ＰＤＡ：Personal Digital Assistant）、セルラフォン、個人通信サービス（ＰＣＳ：Personal Communication Service）フォン、ＧＳＭ（登録商標）（Global System for Mobile）フォン、ＷＣＤＭＡ（登録商標）（Wideband CDMA）フォン、ＭＢＳ（Mobile Broadband System）フォン、ハンドヘルドＰＣ（Hand-Held PC）、ノートＰＣ、スマート（Smart）フォン、又はマルチモードマルチバンド（ＭＭ−ＭＢ：Multi Mode-Multi Band）端末機などを用いることができる。
【０３８６】
ここで、スマートフォンとは、移動通信端末機と個人携帯端末機との長所を混合した端末機であり、移動通信端末機に、個人携帯端末機の機能である日程管理、ファクシミリ送受信、及びインターネット接続などのデータ通信機能を統合した端末機を意味することができる。また、マルチモードマルチバンド端末機とは、マルチモデムチップを内蔵して携帯インターネットシステム及び他の移動通信システム（例えば、ＣＤＭＡ（Code Division Multiple Access）２０００システム、ＷＣＤＭＡ（登録商標）（Wideband CDMA）システムなど）のいずれにおいても作動し得る端末機のことを指す。
【０３８７】
本発明の実施例は、様々な手段によって具現することができる。例えば、本発明の実施例は、ハードウェア、ファームウェア（firmware）、ソフトウェア、又はそれらの組み合わせなどによって具現することができる。
【０３８８】
ハードウェアによる具現の場合、本発明の実施例による方法は、少なくとも１つのＡＳＩＣ（Application Specific Integrated Circuit）、ＤＳＰ（Digital Signal Processor）、ＤＳＰＤ（Digital Signal Processing Device）、ＰＬＤ（Programmable Logic Device）、ＦＰＧＡ（Field Programmable Gate Array）、プロセッサ、コントローラ、マイクロコントローラ、マイクロプロセッサなどによって具現することができる。
【０３８９】
ファームウェアやソフトウェアによる具現の場合、本発明の実施例による方法は、以上で説明した機能又は動作を行うモジュール、手順又は関数などの形態として具現することができる。例えば、ソフトウェアコードは、メモリ５０，１５０に記憶し、プロセッサ１４，１４０によって駆動することができる。上記メモリユニットは、上記プロセッサの内部又は外部に設けられて、既に公知である様々な手段によって、上記プロセッサとデータをやり取りすることができる。
【０３９０】
本発明は、本発明の技術的アイディア及び必須の特徴から逸脱しない範囲で他の特定の形態として具体化することができる。したがって、上記の詳細な説明は、いずれの面においても制限的に解釈されてはならず、例示的なものとして考慮しなければならない。本発明の範囲は、添付する請求項の合理的解釈によって決定しなければならず、本発明の等価的範囲内における変更は、いずれも本発明の範囲に含まれる。また、特許請求の範囲で明示的な引用関係にない請求項を組み合わせて実施例を構成してもよく、出願後の補正によって新しい請求項として含めてもよい。
【産業上の利用可能性】
【０３９１】
本発明の実施例は、様々な無線アクセスシステムに適用することができる。様々な無線アクセスシステムの一例として、３ＧＰＰ（3rd Generation Partnership Project）又は３ＧＰＰ２システムなどがある。本発明の実施例は、上記様々な無線アクセスシステムの他、上記様々な無線アクセスシステムを応用する全ての技術分野にも適用することができる。さらに、提案した方法は、超高周波帯域を利用するｍｍＷａｖｅ通信システムにも適用することができる。
【図１】
2019537385.tif 000015
【図２】
2019537385.tif 000016
【図３】
2019537385.tif 000017
【図４】
2019537385.tif 000018
【図５】
2019537385.tif 000019
【図６】
2019537385.tif 000020
【図７】
2019537385.tif 000021
【図８】
2019537385.tif 000022
【図９】
2019537385.tif 000023
【図１０】
2019537385.tif 000024
【図１１】
2019537385.tif 000025
【図１２】
2019537385.tif 000026
【図１３】
2019537385.tif 000027
【図１４】
2019537385.tif 000028
【図１５】
2019537385.tif 000029
【国際調査報告】
2019537385.tif 000030
2019537385.tif 000031
2019537385.tif 000032
2019537385.tif 000033